(57)【要約】  本発明による多原色表示装置は、複数のサブ画素を有する画素を備える。複数のサブ画素は、第１、第２、第３、第４の色相を有する第１、第２、第３、第４の色を表示する第１、第２、第３、第４サブ画素を含んでいる。第２の色相および第３の色相は、Ｌ*ａ*ｂ*表色系のａ*ｂ*平面において第１の色相に対して両隣にある色相である。複数のサブ画素の輝度は、画素によって表示される色が黒から第１の色相の最明色に変化する場合、第１サブ画素の輝度の増加を開始するとともに、第２サブ画素および第３サブ画素の輝度の増加を第１サブ画素の輝度の増加の割合よりも低い割合で開始するように設定されている。
2010013421.tif 000002
【特許請求の範囲】
【請求項１】
それぞれが複数のサブ画素を有する複数の画素を備える多原色表示装置であって、
前記複数のサブ画素は、第１の色相を有する第１の色を表示する第１サブ画素と、第２の色相を有する第２の色を表示する第２サブ画素と、第３の色相を有する第３の色を表示する第３サブ画素と、第４の色相を有する第４の色を表示する第４サブ画素とを含んでおり、
前記第２の色相および前記第３の色相は、前記複数のサブ画素に対応する色相のうち、Ｌ*ａ*ｂ*表色系のａ*ｂ*平面において前記第１の色相に対して両隣にある色相であり、
前記複数のサブ画素の輝度は、前記画素によって表示される色が黒から前記第１の色相の最明色または前記複数のサブ画素に対応する色相のうち前記第１の色相に最も近い色相である特定の色相の最明色に変化する場合、前記第１サブ画素の輝度の増加を開始するとともに、前記第２サブ画素および前記第３サブ画素の輝度の増加を前記第１サブ画素の輝度の増加の割合よりも低い割合で開始するように設定されている、多原色表示装置。
【請求項２】
前記複数のサブ画素は一方向に配列されている、請求項１に記載の多原色表示装置。
【請求項３】
前記複数の画素は複数の行および複数の列のマトリクス状に配列されており、
前記複数の画素のそれぞれにおいて前記複数のサブ画素は行方向に配列されている、請求項２に記載の多原色表示装置。
【請求項４】
前記複数の画素のうちの１つの画素において前記複数のサブ画素の行方向に配列される順番は、前記１つの画素に対して前記行方向に隣接する画素において前記複数のサブ画素の行方向に配列される順番と等しい、請求項３に記載の多原色表示装置。
【請求項５】
前記画素が前記第１の色相の最明色または前記特定の色相の最明色を表示する場合、前記第２サブ画素および前記第３サブ画素の輝度は最小階調に対応する輝度よりも高く、最大階調に対応する輝度よりも低い、請求項１から４のいずれかに記載の多原色表示装置。
【請求項６】
前記複数のサブ画素は、第５の色相を有する第５の色を表示する第５サブ画素と、第６の色相を有する第６の色を表示する第６サブ画素とをさらに含む、請求項１から５のいずれかに記載の多原色表示装置。
【請求項７】
前記複数のサブ画素の少なくとも１つのサブ画素の色相は、前記複数のサブ画素のうちの他のサブ画素の少なくとも１つのサブ画素の色相とほぼ等しい、請求項６に記載の多原色表示装置。
【請求項８】
前記複数のサブ画素の少なくとも１つのサブ画素によって表示される色は、前記複数のサブ画素のうちの他のサブ画素のいずれか１つのサブ画素によって表示される色とほぼ等しい、請求項６に記載の多原色表示装置。
【請求項９】
前記第４サブ画素、前記第５サブ画素および前記第６サブ画素のうちの少なくとも１つのサブ画素は、前記第１サブ画素、前記第２サブ画素および前記第３サブ画素のうちの２つのサブ画素の間に設けられている、請求項６から８のいずれかに記載の多原色表示装置。
【請求項１０】
前記複数のサブ画素は、前記第１サブ画素、前記第２サブ画素、前記第３サブ画素、前記第４サブ画素、前記第５サブ画素および前記第６サブ画素として、第１赤サブ画素、第２赤サブ画素、緑サブ画素、青サブ画素、黄サブ画素およびシアンサブ画素を含む、請求項６から９のいずれかに記載の多原色表示装置。
【請求項１１】
前記第１赤サブ画素、前記第２赤サブ画素および前記青サブ画素のうちの少なくとも１つのサブ画素は、前記緑サブ画素、前記シアンサブ画素および前記黄サブ画素のうちの２つのサブ画素の間に設けられている、請求項１０に記載の多原色表示装置。
【請求項１２】
前記第１赤サブ画素、前記第２赤サブ画素および前記黄サブ画素のうちの少なくとも１つのサブ画素は、前記シアンサブ画素、前記緑サブ画素および前記青サブ画素のうちの２つのサブ画素の間に設けられている、請求項１０に記載の多原色表示装置。
【請求項１３】
前記緑サブ画素、前記黄サブ画素および前記シアンサブ画素のうちの少なくとも１つのサブ画素は、前記第１赤サブ画素、前記第２赤サブ画素および前記青サブ画素のうちの２つのサブ画素の間に設けられている、請求項１０に記載の多原色表示装置。
【発明の詳細な説明】
【技術分野】
【０００１】
本発明は多原色表示装置に関する。
【背景技術】
【０００２】
カラーテレビ、カラーモニター等のカラー表示装置は、通常、ＲＧＢ原色（すなわち、赤、緑および青）を加法混色することにより、色表現を行っている。一般に、カラー表示パネルの各画素は、ＲＧＢ原色に対応して赤、緑および青サブ画素を有している。このような表示装置は３原色表示装置とも呼ばれる。３原色表示装置の表示パネルに、ＲＧＢ信号に変換可能なＹＣｒＣｂ（ＹＣＣ）信号が入力され、ＹＣｒＣｂ信号に基づいて赤、緑および青サブ画素の輝度が変化することにより、多様な色が表現される。以下の説明において、最小階調レベル（例えば、階調レベル０）に対応するサブ画素の輝度（輝度レベル）を「０」と表し、最大階調レベル（例えば、階調レベル２５５）に対応するサブ画素の輝度を「１」と表す。赤、青および緑サブ画素の輝度は「０」から「１」までの範囲内で制御される。【０００３】
すべてのサブ画素、すなわち、赤、緑および青サブ画素の輝度が「０」である場合、画素によって表示される色は黒である。反対に、すべてのサブ画素の輝度が「１」である場合、画素によって表示される色は白である。ただし、最近のＴＶセットでは、ユーザーでも色温度を調整できるようになっていることが多く、その際、各サブ画素の輝度を微調整することによって色温度の調整が行われる。ここでは、所望の色温度調整後のサブ画素の輝度を「１」とする。【０００４】
以下、図６５を参照して、３原色表示装置におけるサブ画素の輝度の変化を説明する。ここでは、画素によって表示される色が黒から緑を経て白に変化する。各サブ画素の輝度は、画素によって表示される色の各明度における彩度を最大化するように変化させる。なお、以下の説明において、緑サブ画素によって表示される色の色相を色相（Ｇ）または単に（Ｇ）と表す。色相（Ｇ）は緑サブ画素によって規定されている。【０００５】
図６５は、３原色表示装置において、各サブ画素の輝度の変化と画素によって表示される色の変化との関係を示す図である。図６５（ａ）は、画素によって表示される色の変化を示す図であり、図６５（ｂ）は、赤、緑および青サブ画素の輝度の変化を示す図である。【０００６】
はじめ、画素によって表示される色は黒であり、赤、緑および青サブ画素の輝度は「０」である。まず、緑サブ画素の輝度の増加を開始する。緑サブ画素の輝度が増加するほど、画素によって表示される色の彩度および明度が増加する。緑サブ画素の輝度が「１」に達すると、画素によって表示される色の彩度は色相（Ｇ）において最高になる。なお、本明細書の以下の説明では、表示装置によって表示される色のうち、Ｌ*ａ*ｂ*表色系のａ*ｂ*平面におけるそれぞれの色相角に対して最も彩度の高い色を最明色とも呼ぶ。【０００７】
緑サブ画素の輝度は、「１」に達した後、「１」に保持され、次に、画素の明度をさらに増加させるために、他のサブ画素（すなわち、赤および青サブ画素）の輝度の増加を開始する。このとき、赤および青サブ画素の輝度は同じ割合で増加する。赤および青サブ画素が同じ割合で増加すると、色相（Ｇ）をほぼ変化させることなく画素の明度を増加させることができる。すべてのサブ画素の輝度が「１」になると、画素によって表示される色は白となる。３原色表示装置では、このように、先に緑サブ画素を点灯させ、その後、赤および青サブ画素を点灯させることにより、画素によって表示される色は黒から色相（Ｇ）の最明色を経て白に変化する。【０００８】
次に、図６６を参照して、３原色表示装置において、画素によって表示される色が黒からシアンを経て白に変化する場合のサブ画素の輝度の変化を説明する。シアンは緑および青サブ画素によって表現される。ここでは、緑および青サブ画素の輝度を同程度の割合にすることによって表現される色の色相を色相（Ｃ）または単に（Ｃ）と表す。【０００９】
図６６は、３原色表示装置において、各サブ画素の輝度の変化と画素によって表示される色の変化との関係を示す図である。図６６（ａ）は、画素によって表示される色の変化を示す図であり、図６６（ｂ）は、赤、緑および青サブ画素の輝度の変化を示す図である。【００１０】
はじめ、画素によって表示される色は黒であり、すべてのサブ画素の輝度は「０」である。まず、緑および青サブ画素の輝度を同じ割合で「１」まで増加する。緑および青サブ画素の輝度が「１」に達すると、画素によって表示される色は、色相（Ｃ）の最明色となる。【００１１】
緑および青サブ画素の輝度は、「１」に達した後、「１」に保持され、次に、画素の明度をさらに増加させるために、赤サブ画素の輝度の増加を開始する。緑および青サブ画素の輝度を「１」に保持したまま赤サブ画素の輝度を増加させることにより、色相（Ｃ）を変化させることなく画素の明度を増加させることができる。すべてのサブ画素の輝度が「１」になると、画素によって表示される色は白となる。３原色表示装置では、このように、先に緑および青サブ画素を点灯させ、その後、赤サブ画素を点灯させることにより、画素によって表示される色は黒から色相（Ｃ）の最明色を経て白に変化する。【００１２】
上述した説明から理解されるように、３原色表示装置は、各サブ画素の輝度を変化させることにより、多様な色を表現可能である。しかしながら、一般的な３原色表示装置の色再現範囲は人間の知覚可能な色の範囲よりも狭い。そこで、表示装置の色再現範囲を拡大するために、カラーフィルタを厚くして色純度を高めたり、高色純度のＬＥＤを用いたりすることが考えられている。しかしながら、これらの方法では、明るさが低下し、光源の効率が下がってしまう。【００１３】
近年、上述したような３原色の表示装置とは異なり、４原色以上の多原色を加法混色する表示装置が提案されている（例えば、特許文献１〜３参照）。このように４つ以上の原色を用いて表示を行う表示装置は多原色表示装置とも呼ばれる。特許文献１、２には、赤、緑、青、黄、シアンおよびマゼンタサブ画素を有する画素を備える多原色表示装置が開示されている。また、特許文献３には、マゼンタサブ画素に代えて別の赤サブ画素を有する画素を備える多原色表示装置が開示されている。
【先行技術文献】
【特許文献】
【００１４】
【特許文献１】特表２００４−５２９３９６号公報
【特許文献２】特表２００５−５２３４６５号公報
【特許文献３】国際公開第２００７／０３２１３３号パンフレット
【発明の概要】
【発明が解決しようとする課題】
【００１５】
多原色表示装置のパネルサイズおよび解像度が３原色表示装置と同程度である場合、多原色表示装置における１つのサブ画素のサイズは３原色表示装置よりも小さい。したがって、多原色表示装置において１つのサブ画素のみが点灯し、他のサブ画素が非点灯である（階調レベルがほぼ０である）場合、画素領域において非点灯のサブ画素の領域の占める割合が大きい。このため、非点灯のサブ画素が黒を表示しているように見えてしまい、例えば、画素が緑を表示している場合に緑だけでなく黒も表示されていると誤認され、表示品位が低下してしまうことがある。また、このような誤認を避けるために点灯するサブ画素を単純に増加させると色再現範囲を有効に利用できない。【００１６】
本発明は、上記課題を鑑みてなされたものであり、その目的は、色再現範囲を有効に利用しつつ表示品位の低下を抑制した多原色表示装置を提供することにある。
【課題を解決するための手段】
【００１７】
本発明による多原色表示装置は、それぞれが複数のサブ画素を有する複数の画素を備える多原色表示装置であって、前記複数のサブ画素は、第１の色相を有する第１の色を表示する第１サブ画素と、第２の色相を有する第２の色を表示する第２サブ画素と、第３の色相を有する第３の色を表示する第３サブ画素と、第４の色相を有する第４の色を表示する第４サブ画素とを含んでおり、前記第２の色相および前記第３の色相は、前記複数のサブ画素に対応する色相のうち、Ｌ*ａ*ｂ*表色系のａ*ｂ*平面において前記第１の色相に対して両隣にある色相であり、前記複数のサブ画素の輝度は、前記画素によって表示される色が黒から前記第１の色相の最明色または前記複数のサブ画素に対応する色相のうち前記第１の色相に最も近い色相である特定の色相の最明色に変化する場合、前記第１サブ画素の輝度の増加を開始するとともに、前記第２サブ画素および前記第３サブ画素の輝度の増加を前記第１サブ画素の輝度の増加の割合よりも低い割合で開始するように設定されている。【００１８】
ある実施形態において、前記複数のサブ画素は一方向に配列されている。【００１９】
ある実施形態において、前記複数の画素は複数の行および複数の列のマトリクス状に配列されており、前記複数の画素のそれぞれにおいて前記複数のサブ画素は行方向に配列されている。【００２０】
ある実施形態において、前記複数の画素のうちの１つの画素において前記複数のサブ画素の行方向に配列される順番は、前記１つの画素に対して前記行方向に隣接する画素において前記複数のサブ画素の行方向に配列される順番と等しい。【００２１】
ある実施形態において、前記画素が前記第１の色相の最明色または前記特定の色相の最明色を表示する場合、前記第２サブ画素および前記第３サブ画素の輝度は最小階調に対応する輝度よりも高く、最大階調に対応する輝度よりも低い。【００２２】
ある実施形態において、前記複数のサブ画素は、第５の色相を有する第５の色を表示する第５サブ画素と、第６の色相を有する第６の色を表示する第６サブ画素とをさらに含む。【００２３】
ある実施形態において、前記複数のサブ画素の少なくとも１つのサブ画素の色相は、前記複数のサブ画素のうちの他のサブ画素の少なくとも１つのサブ画素の色相とほぼ等しい。【００２４】
ある実施形態において、前記複数のサブ画素の少なくとも１つのサブ画素によって表示される色は、前記複数のサブ画素のうちの他のサブ画素のいずれか１つのサブ画素によって表示される色とほぼ等しい。【００２５】
ある実施形態において、前記第４サブ画素、前記第５サブ画素および前記第６サブ画素のうちの少なくとも１つのサブ画素は、前記第１サブ画素、前記第２サブ画素および前記第３サブ画素のうちの２つのサブ画素の間に設けられている。【００２６】
ある実施形態において、前記複数のサブ画素は、前記第１サブ画素、前記第２サブ画素、前記第３サブ画素、前記第４サブ画素、前記第５サブ画素および前記第６サブ画素として、第１赤サブ画素、第２赤サブ画素、緑サブ画素、青サブ画素、黄サブ画素およびシアンサブ画素を含む。【００２７】
ある実施形態において、前記第１赤サブ画素、前記第２赤サブ画素および前記青サブ画素のうちの少なくとも１つのサブ画素は、前記緑サブ画素、前記シアンサブ画素および前記黄サブ画素のうちの２つのサブ画素の間に設けられている。【００２８】
ある実施形態において、前記第１赤サブ画素、前記第２赤サブ画素および前記黄サブ画素のうちの少なくとも１つのサブ画素は、前記シアンサブ画素、前記緑サブ画素および前記青サブ画素のうちの２つのサブ画素の間に設けられている。【００２９】
ある実施形態において、前記緑サブ画素、前記黄サブ画素および前記シアンサブ画素のうちの少なくとも１つのサブ画素は、前記第１赤サブ画素、前記第２赤サブ画素および前記青サブ画素のうちの２つのサブ画素の間に設けられている
【発明の効果】
【００３０】
本発明によれば、色再現範囲を有効に利用しつつ表示品位の低下を抑制した多原色表示装置を提供することができる。
【図面の簡単な説明】
【００３１】
【図１】本発明による多原色表示装置の第１実施形態を示す模式図である。
【図２】実施形態１の多原色表示装置における画素のサブ画素配列を示す模式図である。
【図３】実施形態１の多原色表示装置における６つのサブ画素の各色についてのａ*およびｂ*をプロットしたＬ*ａ*ｂ*表色系のａ*ｂ*平面を示す模式図である。
【図４】比較例１の表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図５】比較例１の表示装置においてサブ画素の点灯・非点灯を示す模式図である。
【図６】比較例２の表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図７】比較例２の表示装置においてサブ画素の点灯・非点灯を示す模式図である
【図８】比較例３の表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図９】実施形態１の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図１０】実施形態１の多原色表示装置においてサブ画素の点灯・非点灯を示す模式図である。
【図１１】実施形態１の多原色表示装置の具体的構成を示す模式図である。
【図１２】実施形態１の多原色表示装置の別の具体的構成を示す模式図である。
【図１３】実施形態１の多原色表示装置における画素によって表示される色の変化とサブ画素の点灯・非点灯の変化との関係を３原色表示装置と比較して説明するための模式図である。
【図１４】実施形態１の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図１５】実施形態１の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図１６】実施形態１の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図１７】実施形態１の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤、青およびマゼンタサブ画素の輝度の変化を示す図である。
【図１８】比較例１の表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図１９】比較例２の表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図２０】比較例２の表示装置においてサブ画素の点灯・非点灯を示す模式図である。
【図２１】実施形態１の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図２２】実施形態１の多原色表示装置においてサブ画素の点灯・非点灯を示す模式図である。
【図２３】実施形態１の多原色表示装置における画素によって表示される色の変化とサブ画素の点灯・非点灯の変化との関係を３原色表示装置と比較して説明するための模式図である。
【図２４】実施形態１の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図２５】実施形態１の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図２６】実施形態１の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図２７】実施形態１の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、マゼンタ、黄および赤サブ画素の輝度の変化を示す図である。
【図２８】ＸＹＺ表色系色度図を示した模式図である。
【図２９】実施形態１の多原色表示装置における多原色表示パネルに設けられた別のサブ画素配列を示す模式図である。
【図３０】本発明による多原色表示装置の第２実施形態を示す模式図である。
【図３１】実施形態２の多原色表示装置における多原色表示パネルに設けられた複数のサブ画素の配列を示す模式図である。
【図３２】実施形態２の多原色表示装置における各サブ画素の色についてのａ*およびｂ*をプロットしたＬ*ａ*ｂ*表色系のａ*ｂ*平面を示す模式図である。
【図３３】比較例４の表示装置における各サブ画素の輝度の変化と画素によって表示される色の変化との関係を説明するための模式図であり、（ａ）は、画素によって表示される色の変化を示す図であり、（ｂ）は、緑、黄、シアン、赤および青サブ画素の輝度の変化を示す図である。
【図３４】比較例４の表示装置においてサブ画素の点灯・非点灯を示す模式図である。
【図３５】比較例５の表示装置における各サブ画素の輝度の変化と画素によって表示される色の変化との関係を説明するための模式図であり、（ａ）は、画素によって表示される色の変化を示す図であり、（ｂ）は、緑、黄、シアン、赤および青サブ画素の輝度の変化を示す図である。
【図３６】比較例５の表示装置においてサブ画素の点灯・非点灯を示す模式図である。
【図３７】比較例６の表示装置における各サブ画素の輝度の変化と画素によって表示される色の変化との関係を説明するための模式図であり、（ａ）は、画素によって表示される色の変化を示す図であり、（ｂ）は、緑、黄、シアン、赤および青サブ画素の輝度の変化を示す図である。
【図３８】実施形態２の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤および青サブ画素の輝度の変化を示す図である。
【図３９】実施形態２の多原色表示装置においてサブ画素の点灯・非点灯を示す模式図である。
【図４０】実施形態２の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤および青サブ画素の輝度の変化を示す図である。
【図４１】実施形態２の多原色表示装置における各サブ画素の輝度の変化と画素によって表示される色の変化との関係を説明するための模式図であり、（ａ）は、画素によって表示される色の変化を示す図であり、（ｂ）は、緑、黄、シアン、赤および青サブ画素の輝度の変化を示す図である。
【図４２】比較例４の表示装置における各サブ画素の輝度の変化と画素によって表示される色の変化との関係を説明するための模式図であり、（ａ）は、画素によって表示される色の変化を示す図であり、（ｂ）は、シアン、青、緑、赤および黄サブ画素の輝度の変化を示す図である。
【図４３】比較例５の表示装置における各サブ画素の輝度の変化と画素によって表示される色の変化との関係を説明するための模式図であり、（ａ）は、画素によって表示される色の変化を示す図であり、（ｂ）は、シアン、青、緑、赤および黄サブ画素の輝度の変化を示す図である。
【図４４】比較例５の表示装置においてサブ画素の点灯・非点灯を示す模式図である。
【図４５】実施形態２の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、赤および黄サブ画素の輝度の変化を示す図である。
【図４６】実施形態２の多原色表示装置においてサブ画素の点灯・非点灯を示す模式図である。
【図４７】実施形態２の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、赤および黄サブ画素の輝度の変化を示す図である。
【図４８】実施形態２の多原色表示装置における各サブ画素の輝度の変化と画素によって表示される色の変化との関係を説明するための模式図であり、（ａ）は、画素によって表示される色の変化を示す図であり、（ｂ）は、シアン、青、緑、赤および黄サブ画素の輝度の変化を示す図である。
【図４９】実施形態２の多原色表示装置における好適なサブ画素配列のパターンを説明するための模式図である。
【図５０】実施形態２の多原色表示装置における好適なサブ画素配列のパターンを説明するための模式図である。
【図５１】実施形態３の多原色表示装置における各サブ画素の色についてのａ*およびｂ*をプロットしたＬ*ａ*ｂ*表色系のａ*ｂ*平面を示す模式図である。
【図５２】実施形態３の多原色表示装置における各サブ画素の色度点およびＥＢＵ規格の色度点を示すＣＩＥ色度図である。
【図５３】実施形態３の多原色表示装置において各サブ画素の輝度の変化を説明するためのグラフである。
【図５４】実施形態３の多原色表示装置において各サブ画素の輝度の変化を説明するためのグラフである。
【図５５】実施形態３の多原色表示装置において各サブ画素の輝度の変化を説明するためのグラフである。
【図５６】実施形態３の多原色表示装置において各サブ画素の輝度の変化を説明するためのグラフである。
【図５７】実施形態３の多原色表示装置において各サブ画素の輝度の変化を説明するためのグラフである。
【図５８】実施形態４の多原色表示装置における各サブ画素の色についてのａ*およびｂ*をプロットしたＬ*ａ*ｂ*表色系のａ*ｂ*平面を示す模式図である。
【図５９】実施形態４の多原色表示装置において各サブ画素の輝度の変化を説明するためのグラフである。
【図６０】実施形態４の多原色表示装置において各サブ画素の輝度の変化を説明するためのグラフである。
【図６１】実施形態４の多原色表示装置において各サブ画素の輝度の変化を説明するためのグラフである。
【図６２】実施形態４の多原色表示装置において各サブ画素の輝度の変化を説明するためのグラフである。
【図６３】実施形態４の多原色表示装置において各サブ画素の輝度の変化を説明するためのグラフである。
【図６４】実施形態４の多原色表示装置において各サブ画素の輝度の変化を説明するためのグラフである。
【図６５】３原色表示装置において、各サブ画素の輝度の変化と画素によって表示される色の変化との関係を示す図であり、（ａ）は、画素によって表示される色の変化を示す図であり、（ｂ）は、サブ画素の輝度の変化を示す図である。
【図６６】３原色表示装置において、各サブ画素の輝度の変化と画素によって表示される色の変化との関係を示す図であり、（ａ）は、画素によって表示される色の変化を示す図であり、（ｂ）は、サブ画素の輝度の変化を示す図である。
【発明を実施するための形態】
【００３２】
以下、図面を参照して、本発明による多原色表示装置の実施形態を説明する。ただし、本発明は、以下の実施形態に限定されるものではない。
【００３３】
（実施形態１）
以下、本発明による多原色表示装置の第１実施形態を説明する。
【００３４】
図１に、本実施形態の多原色表示装置１００の模式図を示す。多原色表示装置１００は、複数の行および複数の列のマトリクス状に配列された複数の画素を含む多原色表示パネル１１０と、多原色表示パネル１１０のための多原色信号を生成する多原色信号生成部１２０とを備えている。多原色表示パネル１１０において、画素は、それぞれが異なる色を呈する少なくとも４つのサブ画素を有している。ここでは、多原色表示パネル１１０は液晶パネルであり、多原色表示装置１００は液晶表示装置である。なお、本明細書の以下の説明において、多原色表示装置を単に「表示装置」と呼ぶことがある。
【００３５】
図２に、多原色表示パネル１１０に設けられた画素および画素に含まれるサブ画素の配列を示す。図２には、例示として、３行３列の画素を示している。各画素には、６種類のサブ画素、すなわち、赤サブ画素Ｒ、緑サブ画素Ｇ、青サブ画素Ｂ、黄サブ画素Ｙｅ、シアンサブ画素Ｃおよびマゼンタサブ画素Ｍが設けられている。一般に、赤、緑および青は光の３原色と呼ばれ、黄、シアン、マゼンタは色の３原色と呼ばれており、多原色表示パネル１１０には、光の３原色および色の３原色に対応する６つのサブ画素が設けられている。各サブ画素の輝度は独立に制御される。なお、表示装置１００が液晶表示装置である場合、液晶パネル（図示せず）のカラーフィルタの配列は図２に示した構成に対応している。
【００３６】
ここでは、１つの画素に属する６つのサブ画素は行方向に配列されている。また、行方向に隣接する画素に属するサブ画素に着目すると、ある画素に属する赤サブ画素Ｒ、緑サブ画素Ｇ、青サブ画素Ｂ、黄サブ画素Ｙｅ、シアンサブ画素Ｃおよびマゼンタサブ画素Ｍの行方向に配列される順番は行方向に隣接する画素に属するサブ画素の順番と等しく、サブ画素は周期的に配列されている。
【００３７】
図１に示した多原色信号生成部１２０において生成された多原色信号は、多原色表示パネル１１０におけるサブ画素の階調レベルを示している。本明細書の以下の説明において、赤サブ画素Ｒ、緑サブ画素Ｇ、青サブ画素Ｂ、黄サブ画素Ｙｅ、シアンサブ画素Ｃおよびマゼンタサブ画素Ｍの階調レベルをそれぞれＲ、Ｇ、Ｂ、Ｙｅ、ＣおよびＭとも示す。図１には、階調レベルＲ、Ｇ、Ｂ、Ｙｅ、ＣおよびＭをまとめてＲＧＢＹｅＣＭと示している。多原色表示パネル１１０における各サブ画素は多原色信号の階調レベルＲ、Ｇ、Ｂ、Ｙｅ、ＣおよびＭに対応する輝度を示す。
【００３８】
また、以下の説明において、便宜上、最小階調レベル（例えば、階調レベル０）に対応するサブ画素の輝度レベルを「０」と表し、最大階調レベル（例えば、階調レベル２５５）に対応するサブ画素の輝度レベルを「１」と表す。輝度レベルが等しくても、赤、緑、青、黄、シアンおよびマゼンタサブ画素の実際の輝度は異なり、輝度レベルは、各サブ画素の最大輝度に対する比を示している。なお、以下の説明において、各サブ画素の輝度を輝度レベルで表すこともある。
【００３９】
例えば、画素の色が黒である場合、階調レベルＲ、Ｇ、Ｂ、Ｙｅ、ＣおよびＭのすべてが最小階調レベル（例えば、階調レベル０）であり、この場合、各サブ画素の輝度レベルＹR、ＹG、ＹB、ＹYe、ＹC、ＹMを「０」と表す。これに対して、画素の色が白である場合、階調レベルＲ、Ｇ、Ｂ、Ｙｅ、ＣおよびＭのすべてが最大階調レベル（例えば、階調レベル２５５）であり、この場合、各サブ画素の輝度レベルＹR、ＹG、ＹB、ＹYe、ＹC、ＹMを「１」と表す。なお、最近のＴＶセットでは、ユーザーでも色温度を調整できるようになっていることが多く、その際、各サブ画素の輝度を微調整することによって色温度の調整が行われる。ここでは、所望の色温度に調整した後の輝度レベルを「１」としている。
【００４０】
多原色信号生成部１２０は、例えば、３原色表示装置のための入力信号に基づいて多原色信号を生成する。３原色表示装置の入力信号は、赤、緑および青サブ画素の階調レベルを示している。あるいは、この入力信号に示された値は、赤、緑および青サブ画素の階調レベルに変換可能である。一般に、入力信号は３次元で表される。図１では、入力信号の階調レベルｒ、ｇ、ｂをまとめてｒｇｂと示している。なお、入力信号がＢＴ．７０９規格に準拠している場合、入力信号に示された階調レベルｒ、ｇおよびｂは、それぞれ最小階調レベル（例えば、階調レベル０）から最大階調レベル（例えば、階調レベル２５５）までの範囲内にあり、赤、緑および青サブ画素の輝度は「０」から「１」の範囲内にある。
【００４１】
多原色信号生成部１２０は、入力信号の階調レベルｒｇｂを階調レベルＲＧＢＹｅＣＭに変換する。本明細書において、このような変換を多原色変換という。例えば、入力信号において特定される画素の色が黒である場合、階調レベルｒ、ｇ、ｂのすべてが最小階調レベル（例えば、階調レベル０）であり、これを多原色変換した階調レベルＲ、Ｇ、Ｂ、Ｙｅ、Ｃ、Ｍのすべては最小階調レベル（例えば、階調レベル０）であり、輝度レベルＹR、ＹG、ＹB、ＹYe、ＹC、ＹMのすべてが「０」となる。また、入力信号において特定される画素の色が白である場合、階調レベルｒ、ｇ、ｂのすべてが最大階調レベル（例えば、階調レベル２５５）であり、これを多原色変換した階調レベルＲ、Ｇ、Ｂ、Ｙｅ、Ｃ、Ｍのすべては最大階調レベル（例えば、階調レベル２５５）であり、輝度レベルＹR、ＹG、ＹB、ＹYe、ＹC、ＹMのすべてが「１」となる。なお、基本的に、階調レベルＲＧＢＹｅＣＭによって特定される色は階調レベルｒｇｂによって特定される色と同じであるが、必要に応じて異なっていてもよい。なお、入力信号および多原色信号は各サブ画素の輝度レベルを示していてもよい。
【００４２】
図３は、本実施形態の表示装置１００における６つのサブ画素の各色についてのａ*およびｂ*をプロットしたＬ*ａ*ｂ*表色系のａ*ｂ*平面を示す模式図である。図３には、１つのサブ画素のみによって表示される色の色相角を示している。色相角は、ａ*方向（赤方向）の軸を０°として、この方向から反時計方向に回転した角度である。ここでは、理想的に、Ｒは３０°、Ｙｅは９０°、Ｇは１５０°、Ｃは２１０°、Ｂは２７０°およびＭは３３０°である。
【００４３】
ここで、比較例１〜３の表示装置と比較して本実施形態の表示装置１００の利点を説明する。比較例１〜３の表示装置は、本実施形態の表示装置１００の多原色表示パネル１１０と同様の多原色表示パネルを有しているが、サブ画素の輝度の変化態様が異なる。ここでは、画素によって表示される色が黒から色相（Ｇ）の最明色を経て白に変化する。なお、本明細書の以下の説明において、特に説明が無い場合、赤、黄、緑、シアン、青およびマゼンタサブ画素によって規定される色の色相をそれぞれ、（Ｇ）、（Ｙｅ）、（Ｇ）、（Ｃ）、（Ｂ）および（Ｍ）と示す。また、以下の説明において、画素によって表示される色が黒からある色相の最明色を経て白に変化する場合、その色相に対応するサブ画素の輝度が「１」に達するとき、画素によって表示される色は最明色となる。
【００４４】
まず、比較例１の表示装置を説明する。図６５を参照して上述したように、３原色表示装置では、緑サブ画素の輝度が「１」に達した後、他のサブ画素（すなわち、赤および青サブ画素）の輝度の増加を同時に開始する。比較例１の表示装置では、３原色表示装置と同様に、緑サブ画素の輝度が「１」に達した後、他のサブ画素（すなわち、黄、赤、青、シアンおよびマゼンタサブ画素）の輝度の増加を同時に開始する。
【００４５】
図４は、比較例１の表示装置における各サブ画素の輝度の変化と画素によって表示される色の変化との関係を説明するための模式図である。図４（ａ）は、画素によって表示される色の変化を示す図であり、図４（ｂ）は、緑、黄、シアン、赤、青およびマゼンタサブ画素の輝度の変化を示す図である。なお、図４（ｂ）は、緑、黄、シアン、赤、青およびマゼンタサブ画素の輝度レベルを示すものであり、「１」のときの各サブ画素の実際の輝度はそれぞれ異なる。
【００４６】
はじめ、すべてのサブ画素、すなわち、緑、黄、シアン、赤、青およびマゼンタサブ画素の輝度が「０」であり、画素によって表示される色は黒である。緑サブ画素を含むすべてのサブ画素の輝度が「０」の場合、画素によって表示される色は黒であり、彩度はゼロである。これは、図３に示したＬ*ａ*ｂ*表色系のａ*ｂ*平面において彩度ゼロの点（原点）に相当する。
【００４７】
まず、緑サブ画素の輝度の増加を開始する。緑サブ画素の輝度が増加するほど、画素によって表示される色の彩度および明度が増加する。緑サブ画素の輝度が増加するとともに、画素によって表示される色の色度ａ*およびｂ*は、図３において原点からＧに向いた矢印方向に沿って変化し、緑サブ画素の輝度が「１」に達すると、色度ａ*およびｂ*は、矢印方向において原点から最も離れた値となる。なお、多原色表示パネル１１０（図１）が液晶パネルの場合、各サブ画素の輝度が「１」のときのａ*およびｂ*の値はカラーフィルタ（図示せず）および光源（図示せず）によって決定される。
【００４８】
緑サブ画素の輝度が「１」に達した後、比較例１の表示装置では、図４（ｂ）に示すように、他のサブ画素（すなわち、黄、シアン、赤、青およびマゼンタサブ画素）の輝度の増加を同時に開始する。黄、シアン、赤、青およびマゼンタサブ画素の輝度は等しい割合で増加する。この場合も、サブ画素の輝度の増加により、画素によって表示される色の明度は増加する。すべてのサブ画素の輝度が「１」となると、画素によって表示される色は白となる。
【００４９】
このような比較例１の表示装置において、画素によって表示される色が黒から色相（Ｇ）の最明色に変化する間、緑サブ画素のみが点灯し、他のサブ画素は非点灯である。この場合、図５に示すように、１画素内において非点灯のサブ画素の占める面積が大きくなる。表示装置の解像度が十分に高い場合、この影響はほとんどないが、解像度が１００ｐｐｉ（ｐｉｘｅｌｓ  ｐｅｒ  ｉｎｃｈ）以下であると、非点灯のサブ画素が黒を表示しているように見えることがあり、各画素が緑を表示しているにもかかわらわず、緑だけでなく黒も表示されていると誤認される。特に、１つの画素に属するサブ画素が１行に配列されている構成において、１列の画素のそれぞれが色相（Ｇ）の最明色を表示する場合、細い緑線とともに太い黒線が表示されているように見え、緑の縞の表示と誤認される。
【００５０】
次に、比較例２の表示装置を説明する。比較例２の表示装置では、画素によって表示される色が色相（Ｇ）の最明色になった後、黄およびシアンサブ画素の輝度の増加を開始する。比較例２の表示装置は、特許文献３に開示されている表示装置に対応している。
【００５１】
図６は、比較例２の表示装置における各サブ画素の輝度の変化と画素によって表示される色の変化との関係を説明するための模式図である。図６（ａ）は、画素によって表示される色の変化を示す図であり、図６（ｂ）は、緑、黄、シアン、赤、青およびマゼンタサブ画素の輝度の変化を示す図である。
【００５２】
比較例２の表示装置でも、はじめ、すべてのサブ画素、すなわち、緑、黄、シアン、赤、青およびマゼンタサブ画素の輝度が「０」であり、画素によって表示される色は黒である。まず、緑サブ画素の輝度の増加を開始する。緑サブ画素の輝度が増加するほど、画素によって表示される色の彩度および明度が増加する。
【００５３】
緑サブ画素の輝度が増加して「１」に達すると、「１」に保持される。この場合、画素によって表示される色は、色相（Ｇ）の最明色となる。次に、黄およびシアンサブ画素の輝度の増加を開始する。黄およびシアンサブ画素の輝度が増加するほど、画素によって表示される色の明度は増加する。黄およびシアンサブ画素の輝度は、色相（Ｇ）を変化させないように増加する。ここでは、黄サブ画素の輝度の増加の割合はシアンサブ画素と等しい。
【００５４】
黄およびシアンサブ画素の輝度が増加して、「１」に達すると、「１」に保持され、次に、赤および青サブ画素の輝度の増加を開始する。赤および青サブ画素の輝度の増加の割合は色相（Ｇ）を変化させないように設定されている。ここでも、赤サブ画素の輝度の増加の割合は青サブ画素と等しい。
【００５５】
赤および青サブ画素の輝度が増加して「１」に達すると、「１」に保持され、次に、マゼンタサブ画素の輝度の増加を開始する。マゼンタサブ画素の輝度が増加して「１」に達すると、画素によって表示される色は白になる。
【００５６】
比較例２の表示装置は、広い色再現範囲を比較例１の表示装置よりも有効に利用している。この理由は、以下のように考えられる。緑サブ画素の輝度が「１」に達した後、画素の明度をさらに増加させるためには他の色相に対応するサブ画素の輝度を増加させる必要があるが、どのサブ画素の輝度を増加させても、画素によって表示される色の彩度は低下する。しかしながら、その中でも、色相（Ｇ）から遠い色相に対応するサブ画素の輝度を増加させると、緑の彩度が大きく低下してしまうのに対して、色相（Ｇ）に近い色相に対応するサブ画素の輝度を増加させても、緑の彩度はそれほど低下しない。このため、色相（Ｇ）から遠い色相よりも色相（Ｇ）に近い色相に対応するサブ画素の輝度の増加を早く開始する方が、彩度の低下を抑制して明度を増加させることができる。その結果、最明色よりも高い明度において、比較例１の表示装置では彩度が比較的低いのに対して、比較例２の表示装置では彩度が比較的高い。したがって、比較例２の表示装置は、比較例１の表示装置において表現できない彩度の高い色を表現することができる。
【００５７】
しかしながら、比較例１の表示装置と同様に、比較例２の表示装置でも、画素によって表示される色が黒から色相（Ｇ）の最明色に変化する間、緑サブ画素のみが点灯し、他のサブ画素は非点灯である。この場合、図７に示すように、１画素内において非点灯のサブ画素の占める面積が大きくなる。表示装置の解像度が十分に高い場合、この影響はほとんどないが、解像度が１００ｐｐｉ（ｐｉｘｅｌｓ  ｐｅｒ  ｉｎｃｈ）以下であると、非点灯のサブ画素が黒を表示しているように見えることがあり、画素が緑を表示しているにもかかわらず、緑だけでなく黒も表示されていると誤認される。図６５を参照して説明した３原色表示装置では、画素によって表示される色が黒から色相（Ｇ）の最明色に変化する間、点灯している緑サブ画素は画素サイズの約１／３を占めているのに対して、比較例１および２の表示装置において点灯している緑サブ画素は画素サイズの約１／６を占めるのみであり、比較例１および２の表示装置において点灯しているサブ画素のサイズは３原色表示装置の半分であり、比較例１および２の表示装置では誤認が生じやすい。特に、１つの画素に属するサブ画素が１行に配列されている構成において、１列の画素のそれぞれが色相（Ｇ）の最明色を表示する場合、細い緑線とともに太い黒線が表示されているように見える。
【００５８】
これに対して、比較例３では、画素によって表示される色が黒から色相（Ｇ）の最明色に変化する間、緑、黄およびシアンサブ画素の輝度を増加させる。以下、図８を参照して、比較例３の表示装置を説明する。
【００５９】
図８は、比較例３の表示装置における各サブ画素の輝度の変化と画素によって表示される色の変化との関係を説明するための模式図である。図８（ａ）は、画素によって表示される色の変化を示す図であり、図８（ｂ）は、緑、黄、シアン、赤、青およびマゼンタサブ画素の輝度の変化を示す図である。
【００６０】
比較例３の表示装置でも、はじめ、すべてのサブ画素、すなわち、緑、黄、シアン、赤、青およびマゼンタサブ画素の輝度が「０」であり、画素によって表示される色は黒である。まず、緑サブ画素の輝度の増加を開始する。また、緑サブ画素の輝度とともに黄およびシアンサブ画素の輝度を増加させる。比較例３の表示装置では、緑、黄およびシアンサブ画素の輝度は等しい割合で増加する。なお、緑、黄およびシアンサブ画素の輝度は、増加に伴って色相（Ｇ）を変化させないように設定されている。緑、黄およびシアンサブ画素の輝度が増加するほど、画素によって表示される色の彩度および明度が増加する。
【００６１】
緑、黄およびシアンサブ画素の輝度が増加して「１」に達すると、「１」に保持される。この場合、画素によって表示される色は、色相（Ｇ）の最明色となる。次に、赤および青サブ画素の輝度の増加を開始する。赤および青サブ画素の輝度の増加の割合は色相（Ｇ）を変化させないように設定されている。ここでも、赤サブ画素の輝度の増加の割合は青サブ画素と等しい。
【００６２】
赤および青サブ画素の輝度が増加して「１」に達すると、「１」に保持され、次に、マゼンタサブ画素の輝度の増加を開始する。マゼンタサブ画素の輝度が増加して「１」に達すると、画素によって表示される色は白になる。
【００６３】
上述の比較例１および２との比較から理解されるように、比較例３の表示装置では、画素によって表示される色が黒から色相（Ｇ）の最明色に変化する間、緑、黄およびシアンサブ画素が点灯しており、これにより、誤認が抑制される。しかしながら、比較例３の表示装置は、広い色再現範囲を有効に利用していない。同程度の輝度レベル（階調レベル）で比較した場合、黄およびシアンサブ画素によって表示される緑の彩度は緑サブ画素によって表示される緑の彩度よりも低く、比較例３の表示装置は、特に、低い明度において彩度の高い色を表現できない。
【００６４】
本実施形態の多原色表示装置１００では、比較例３の表示装置と同様に、画素によって表示される色が黒から色相（Ｇ）の最明色に変化する間、緑サブ画素の輝度とともに色相（Ｇ）に隣接する２つの色相（すなわち、（Ｙｅ）および（Ｃ））に対応する黄サブ画素およびシアンサブ画素の輝度を緑サブ画素よりも低い割合で増加させる。
【００６５】
ここで、再び図３を参照して、色相（Ｇ）と色相（Ｒ）、（Ｂ）、（Ｙｅ）、（Ｃ）および（Ｍ）との関係を説明する。サブ画素の色相の近さ・遠さは、サブ画素の色相角の差によって表される。あるサブ画素の色相角と別のサブ画素の色相角との差が小さいと、２つのサブ画素の色相は近くにあるといえ、反対に、あるサブ画素の色相角と別のサブ画素の色相角との差が大きいと、２つのサブ画素の色相は遠くにあるといえる。
【００６６】
色相（Ｇ）を基準として他の色相との近さを検討すると、色相（Ｇ）に最も近い色相は（Ｙｅ）および（Ｃ）（色相角の差６０°）であり、次に近い色相は（Ｒ）および（Ｂ）（色相角の差１２０°）であり、最も遠い色相は（Ｍ）（色相角の差１８０°）である。
【００６７】
（Ｙｅ）は（Ｇ）に対して時計回りの方向にあり、（Ｃ）は（Ｇ）に対して反時計回りの方向にある。すなわち、Ｌ*ａ*ｂ*表色系のａ*ｂ*平面において（Ｃ）は（Ｇ）に対して（Ｙｅ）と反対側にある。また、Ｌ*ａ*ｂ*表色系のａ*ｂ*平面において（Ｂ）は（Ｇ）に対して（Ｃ）と同じ側にあり、（Ｒ）は（Ｇ）に対して（Ｙｅ）と同じ側にある。
【００６８】
また、Ｌ*ａ*ｂ*表色系のａ*ｂ*平面において、時計回りの方向で（Ｇ）に最も近いのは（Ｙｅ）であり、反時計回りの方向で（Ｇ）に最も近いのは（Ｃ）である。本明細書において、（Ｙｅ）および（Ｃ）はＬ*ａ*ｂ*表色系のａ*ｂ*平面において（Ｇ）の両隣にあるとも称する。なお、ここでは、Ｌ*ａ*ｂ*表色系のａ*ｂ*平面を参照して色相（Ｇ）に対する色相（Ｒ）、（Ｙｅ）、（Ｃ）、（Ｂ）および（Ｍ）の近さを検討したが、色相（Ｒ）、（Ｙｅ）、（Ｇ）、（Ｃ）、（Ｂ）および（Ｍ）を色相環上に表し、色相（Ｇ）に対する色相（Ｒ）、（Ｙｅ）、（Ｃ）、（Ｂ）および（Ｍ）の近さを検討してもよい。
【００６９】
以下に、図９を参照して、本実施形態の表示装置１００において、画素によって表示される色が黒から色相（Ｇ）の最明色を経て白に変化する場合の各サブ画素の輝度の変化を説明する。図９（ａ）は、画素によって表示される色の変化を示す図であり、図９（ｂ）は、緑、黄、シアン、赤、青およびマゼンタサブ画素の輝度の変化を示す図である。
【００７０】
はじめ、すべてのサブ画素、すなわち、緑、黄、シアン、赤、青およびマゼンタサブ画素の輝度が「０」であり、画素によって表示される色は黒である。まず、緑サブ画素の輝度の増加を開始する。本実施形態の表示装置１００では、比較例３の表示装置と同様に、緑サブ画素だけでなく、黄およびシアンサブ画素の輝度の増加も開始する。なお、黄サブ画素は、図３に示したＬ*ａ*ｂ*表色系のａ*ｂ*平面において色相（Ｇ）に対して時計回りで色相（Ｇ）に最も近い（Ｙｅ）に対応しており、シアンサブ画素は、Ｌ*ａ*ｂ*表色系のａ*ｂ*平面において色相（Ｇ）に対して時計回りで色相（Ｇ）に最も近い（Ｃ）に対応している。
【００７１】
また、本実施形態の表示装置１００では、黄およびシアンサブ画素の輝度の増加の割合は緑サブ画素よりも低い。なお、本明細書において、輝度の増加の割合を輝度の「増加率」とも呼ぶ。黄およびシアンサブ画素の輝度の増加率は、画素によって表示される色の色相（Ｇ）を変化させないように設定されている。なお、本明細書において、画素によって表示される色の色相を変化させないように各サブ画素の輝度を変化させる場合、画素によって表示される色の色相角は対象の色相角に対して±２０度以内、好ましくは±１０度以内で変化する。ここでは、黄サブ画素の輝度の増加率はシアンサブ画素と等しい。
【００７２】
なお、理想的には、緑サブ画素とともに黄およびシアンサブ画素の輝度の増加が開始されるが、上述したように、緑サブ画素の輝度の増加率は、黄およびシアンサブ画素よりも高いので、実際には、この制御を具現化する回路における数値の量子化等の結果、緑サブ画素の輝度の増加を先に開始し、その直後に、黄サブ画素およびシアンサブ画素の輝度の増加を開始してもよい。
【００７３】
緑、黄およびシアンサブ画素の輝度が増加するほど、画素によって表示される色の彩度および明度は増加する。緑サブ画素の輝度が「１」に達すると、「１」に保持される。この場合、画素によって表示される色は、色相（Ｇ）の最明色となる。緑、黄、シアン、赤、青およびマゼンタサブ画素の輝度は、それぞれ、「１」、「０．３１」、「０．３１」、「０」、「０」、「０」である。
【００７４】
次に、画素の明度をさらに増加させるために、黄およびシアンサブ画素の輝度の増加を継続する。黄サブ画素の輝度の増加率はシアンサブ画素と等しいので、黄サブ画素の輝度はシアンサブ画素と同時に「１」に達する。黄およびシアンサブ画素の輝度は、「１」に達した後、「１」に保持される。
【００７５】
次に、Ｌ*ａ*ｂ*表色系のａ*ｂ*平面において色相（Ｇ）に対して色相（Ｙｅ）と同じ時計回りの方向にある色相で色相（Ｙｅ）の次に近い（Ｒ）に対応する赤サブ画素、および、色相（Ｇ）に対して色相（Ｃ）と同じ反時計回りの方向にある色相で色相（Ｃ）の次に近い（Ｂ）に対応する青サブ画素の輝度の増加を開始する。赤および青サブ画素の輝度の増加率は色相（Ｇ）を変化させないように設定されている。ここでも、赤サブ画素の輝度の増加率は青サブ画素と等しい。
【００７６】
赤および青サブ画素の輝度が増加してほぼ同時に「１」に達する。次に、Ｌ*ａ*ｂ*表色系のａ*ｂ*平面において色相（Ｇ）に対してほぼ補色の関係にある色相（Ｍ）に対応するマゼンタサブ画素の輝度の増加を開始する。マゼンタサブ画素の輝度が増加して「１」に達すると、画素によって表示される色は白になる。このとき、緑、黄、シアン、赤、青およびマゼンタサブ画素の輝度は、それぞれ、（「１」、「１」、「１」、「１」、「１」、「１」）である。
【００７７】
ここで、比較例１〜３の表示装置および本実施形態の表示装置１００を比較する。比較例１および２の表示装置では、画素によって表示される色が黒から色相（Ｇ）の最明色に変化する間、緑サブ画素の輝度のみが増加し、この間、図５および図７に示したように、緑サブ画素のみが点灯し、他のサブ画素は非点灯である。このため、比較例１および２の表示装置では、１画素内において非点灯のサブ画素の占める面積が比較的大きく、非点灯のサブ画素が黒を表示しているようにみえてしまい、緑だけでなく黒が表示されていると誤認され、表示品位が低下する。
【００７８】
本実施形態の表示装置１００では、画素によって表示される色が黒から色相（Ｇ）の最明色に変化する間、緑サブ画素の輝度だけでなく黄およびシアンサブ画素の輝度が増加する。したがって、この間、図１０に示すように、緑サブ画素だけでなく黄およびシアンサブ画素も点灯している。このように、本実施形態の表示装置１００では、１画素内において非点灯のサブ画素の占める面積が比較的小さく、誤認が抑制される。
【００７９】
また、比較例３の表示装置は、３つのサブ画素の輝度を等しい増加率で増加させており、色再現範囲を有効に利用していない。色相（Ｇ）の最明色を表示する場合、比較例３の表示装置では各サブ画素の階調レベルは（Ｒ、Ｇ、Ｂ、Ｙｅ、Ｃ、Ｍ）＝（０、２５５、０、２５５、２５５、０）であるのに対して、本実施形態の表示装置１００では各サブ画素の階調レベルは例えば（Ｒ、Ｇ、Ｂ、Ｙｅ、Ｃ、Ｍ）＝（０、２５５、０、１５０、１５０、０）である。この場合、本実施形態の表示装置１００における最明色の彩度は比較例３の表示装置よりも高い。これは、最大階調レベル（最大輝度レベル）の緑サブ画素に対して他のサブ画素の輝度を増加させるほど画素の彩度は低下するからである。このように、表示装置１００は比較例３の表示装置よりも有効に色再現範囲を利用している。具体的には、表示装置１００の最明色よりも高い明度において、表示装置１００の表示可能な彩度の上限は比較例３と等しいが、表示装置１００の最明色よりも低い明度において、表示装置１００の表示可能な彩度の上限は比較例３よりも高い。
【００８０】
なお、色相（Ｇ）を変化させることなく緑サブ画素以外のサブ画素を点灯させるためには、画素によって表示される色が黒から色相（Ｇ）の最明色に変化する間、例えば、緑サブ画素とともに赤および青サブ画素を点灯させてもよく、あるいは、緑、黄およびシアンサブ画素に加えて赤および青サブ画素を点灯させてもよい。しかしながら、上述した比較例２の表示装置においても説明したのと同様に、明度を増大させるために、色相（Ｇ）から遠い色相に対応するサブ画素の輝度を増加させると、緑の彩度が大きく低下してしまうのに対して、色相（Ｇ）に近い色相に対応するサブ画素の輝度を増加させても、緑の彩度はそれほど低下しない。上述したように、本実施形態の表示装置１００では、画素によって表示される色が黒から色相（Ｇ）の最明色に変化する間、緑サブ画素だけでなく、色相（Ｇ）の両隣にある色相（Ｙｅ）および（Ｃ）に対応する黄およびシアンサブ画素を点灯させており、これにより、彩度の低下を抑制している。
【００８１】
なお、色相（Ｇ）の最明色を表示する場合、比較例１および２の表示装置では各サブ画素の階調レベルは（Ｒ、Ｇ、Ｂ、Ｙｅ、Ｃ、Ｍ）＝（０、２５５、０、０、０、０）であるのに対して、本実施形態の表示装置１００では各サブ画素の階調レベルは例えば（Ｒ、Ｇ、Ｂ、Ｙｅ、Ｃ、Ｍ）＝（０、２５５、０、１５０、１５０、０）である。この場合、本実施形態の表示装置１００における最明色の彩度は比較例１および２の表示装置よりも低い。これは、最大階調レベルの緑サブ画素に対して他のサブ画素の階調レベルを増加させるほど画素の彩度が低下するからである。したがって、比較例１および２の表示装置は少なくとも一部の明度において表示装置１００よりも有効に色再現範囲を利用している。具体的には、比較例１の最明色よりも低い明度において、比較例１の表示可能な彩度の上限は表示装置１００よりも高く、また、表示装置１００の最明色よりも低い明度において、比較例２の表示可能な彩度の上限は表示装置１００よりも高い。
【００８２】
なお、図９を参照して説明した内容は、画素によって表示される色を黒から緑を経て白に変化させる場合のサブ画素の点灯（輝度の増加）の開始のタイミングのみを説明しているわけではないことに留意されたい。図９を参照して説明した内容は、多原色信号生成部１２０（図１参照）により、画素によって表示される色に対応したサブ画素の輝度（階調レベル）を設定するためのアルゴリズムに他ならない。
【００８３】
つまり、本実施形態の表示装置１００では、図９（ｂ）に示したサブ画素の輝度の組み合わせが、上述したアルゴリズムに基づいて設定されている。言い換えると、図９（ｂ）は、単に、サブ画素を点灯させる（輝度の増加を開始する）タイミングを示しているだけでなく、サブ画素の輝度の組み合わせそのものを示している。なお、各サブ画素の輝度は、上述したアルゴリズムに基づいて予め用意されていてもよく、あるいは、演算によって生成されてもよい。このように、本実施形態の表示装置１００では、上述したアルゴリズムに基づいて３原色表示装置では表示できなかった色を表示することができる。
【００８４】
また、図９（ｂ）に示した各サブ画素の輝度は、本実施形態の表示装置１００における画素によって表現可能な色のうち各明度における彩度を最大化するように変化させており、本実施形態の表示装置１００における画素によって表現可能な色の各明度における彩度の上限に対応している。表示装置１００における画素は、図９（ｂ）に示したサブ画素の輝度の組み合わせに対して、さらに、別のサブ画素の輝度を加えることにより、彩度の上限よりも低い彩度で明度を増大させることができることはいうまでもない。
【００８５】
ここで、図１１を参照して本実施形態の多原色表示装置１００のさらに具体的な構成を説明する。多原色信号生成部１２０は、多原色変換部１２２と、調整部１２４とを備えている。多原色変換部１２２は、３原色表示装置のための入力信号の階調レベルに対して多原色変換を行う。本明細書の以下の説明において、多原色変換部１２２において多原色変換の行われた階調レベルを示す信号を多原色原信号ともいう。例えば、入力信号は、３原色表示パネルの赤、緑および青サブ画素の階調レベルを示す値ｒｇｂを示しており、多原色変換部１２２は、値ｒｇｂを値Ｒ’Ｇ’Ｂ’Ｙｅ’Ｃ’Ｍ’に変換し、これにより、値Ｒ’Ｇ’Ｂ’Ｙｅ’Ｃ’Ｍ’を示す多原色原信号が生成される。調整部１２４は、入力信号に示された階調レベルｒｇｂに基づいて調整量を得る。
【００８６】
なお、図１１を参照して上述した説明では、多原色変換部１２２は、階調レベルの変換を行ったが、本発明はこれに限定されない。多原色変換部１２２は輝度レベルの変換を行ってもよい。
【００８７】
図１２に示すように、多原色信号生成部１２０は、逆γ変換部１２１と、多原色変換部１２２と、調整部１２４と、γ変換部１２５とを備えている。逆γ変換部１２１は、３原色表示パネルのための入力信号に示された階調レベルｒｇｂに逆γ変換を行い、輝度レベルＹrＹgＹbを得る。次に、多原色変換部１２２は、輝度レベルＹrＹgＹbに対して多原色変換を行い、輝度レベルＹR'ＹG'ＹB'ＹYe'ＹC'ＹM'を得る。調整部１２４は、階調レベルｒｇｂに基づいて調整量を得る。例えば、調整部１２４は、調整量ΔＹYe、ΔＹC得て、調整量ΔＹYe、ΔＹCに基づいて輝度レベルＹR'ＹG'ＹB'ＹYe'ＹC'ＹM'を調整して、輝度レベルＹRＹGＹBＹYeＹCＹMを得る。次に、γ変換部１２５は、輝度レベルＹRＹGＹBＹYeＹCＹMにγ変換を行い、階調レベルＲＧＢＹｅＣＭを得て、階調レベルＲＧＢＹｅＣＭを示す多原色信号を生成する。多原色表示パネル１１０は、多原色信号に従って表示を行う。
【００８８】
ここで、図１３を参照して、実施形態１の多原色表示装置１００において、画素によって表示される色の変化とサブ画素の点灯・非点灯の変化との関係を説明する。ここでは、比較のために、３原色表示装置５００を示しており、入力信号として、ＲＧＢの３原色信号を用いている。または、入力信号は、一般にカラーテレビに用いられているＹＣｒＣｂ信号のように、ＲＧＢの３原色信号に変換可能な信号であってもよい。
【００８９】
３原色表示装置５００は、表示パネル５１０と、画像処理回路５２０とを備えている。図１３に示すように、本実施形態の表示装置１００および３原色表示装置５００の両方に、同じ入力信号が入力される。この入力信号は、多原色表示パネル１１０および表示パネル５１０の画面全体が黒から色相（Ｇ）の最明色を経て白に変化するグラデーション表示を行うような信号である。このような入力信号を用いることにより、多原色表示装置が本実施形態の表示装置１００であるか容易に確認することができる。
【００９０】
なお、図２に示したように、多原色表示パネル１１０において、赤、緑、青、黄、シアンおよびマゼンタサブ画素は短冊状の形状を有しており、ここでは、行方向に、赤、緑、青、黄、シアンおよびマゼンタサブ画素の順番にストライプ状に配列されている。一方、表示パネル５１０において、赤、緑および青サブ画素も短冊状の形状を有しており、行方向に、赤、緑および青サブ画素の順番にストライプ状に配列されている。
【００９１】
従来の表示装置５００において、表示パネル５１０の部分Ｋは黒を表示する。部分Ｋでは、すべてのサブ画素の輝度は「０」である。表示パネル５１０の部分Ｓは色相（Ｇ）の最明色を表示する。部分Ｓでは、緑サブ画素の輝度が「１」であるのに対して、赤および青サブ画素の輝度は「０」である。表示パネル５１０において部分Ｋから部分Ｓに進むにしたがって、緑サブ画素の輝度が増加し、画素の明度が高くなっている。
【００９２】
また、表示パネル５１０の部分Ｗは白を表示する。部分Ｗにおいて、すべてのサブ画素の輝度は「１」である。表示パネル５１０において部分Ｓから部分Ｗに進むにしたがって、赤および青サブ画素の輝度が増加し、画素の明度が高くなっている。
【００９３】
これに対して、本実施形態の表示装置１００では、多原色表示パネル１１０の部分Ｋは黒を表示する。したがって、部分Ｋにおいてすべてのサブ画素の輝度は「０」である。多原色表示パネル１１０の部分Ｓは色相（Ｇ）の最明色を表示する。部分Ｓでは、緑サブ画素の輝度が「１」であり、黄およびシアンサブ画素の輝度は「０．３１」であり、赤、青およびマゼンタサブ画素の輝度は「０」である。多原色表示パネル１１０において、部分Ｋから部分Ｓに進むにしたがって、緑サブ画素の輝度とともに黄およびシアンサブ画素の輝度が増加する。これにより、画素の明度が高くなっている。
【００９４】
また、多原色表示パネル１１０の部分Ｗは白を表示する。部分Ｗにおいて、すべてのサブ画素の輝度は「１」である。なお、上述したように、ここでのサブ画素の輝度「１」とは、所望の色温度設定時の白を実現するための各サブ画素の輝度を示している。多原色表示パネル１１０において、部分Ｓから部分Ｗに進むにしたがって、黄およびシアンサブ画素の輝度の増加が続き、黄およびシアンサブ画素の輝度が「１」になると、赤および青サブ画素の輝度の増加が開始され、赤および青サブ画素の輝度が「１」になると、最後に、マゼンタサブ画素の輝度の増加が開始される。以上のようなサブ画素の輝度の変化は、グラデーション表示を行う多原色表示パネル１１０および表示パネル５１０の画素をルーペなどで拡大して観察することによってチェックすることができる。
【００９５】
なお、上述した説明では、黄サブ画素の輝度の増加率はシアンサブ画素と等しいが、本発明はこれに限定されない。黄およびシアンサブ画素の輝度の増加率は画素によって表示される色の色相（Ｇ）を変化させないように設定されていればよく、例えば、黄サブ画素の輝度とシアンサブ画素の輝度とを等しい増加率で増加させたと仮定すると、画素によって表示される色の色相が色相（Ｇ）から色相（Ｃ）の方に変化してしまう場合、黄サブ画素の輝度の増加率はシアンサブ画素よりも高くてもよい。以下、図１４を参照して、本実施形態の表示装置１００において、画素によって表示される色が黒から色相（Ｇ）の最明色を経て白に変化する場合の各サブ画素の輝度の変化を説明する。
【００９６】
はじめ、すべてのサブ画素、すなわち、緑、黄、シアン、赤、青およびマゼンタサブ画素の輝度が「０」であり、画素によって表示される色は黒である。表示装置１００では、緑サブ画素の輝度とともに、緑サブ画素よりも低い増加率で黄およびシアンサブ画素の輝度を増加させる。
【００９７】
黄およびシアンサブ画素の輝度の増加率は、画素によって表示される色の色相（Ｇ）を変化させないように設定されており、ここでは、黄サブ画素の輝度の増加率はシアンサブ画素よりも高い。ただし、上述したように、この制御を具現化する回路における数値の量子化等の結果、緑サブ画素の輝度の増加を先に開始し、その後、黄サブ画素およびシアンサブ画素の順番に輝度の増加を開始してもよい。
【００９８】
緑、黄およびシアンサブ画素の輝度が増加するほど、画素によって表示される色の彩度および明度は増加する。緑サブ画素の輝度が「１」に達すると、「１」に保持される。この場合、画素によって表示される色は、色相（Ｇ）の最明色となる。その後、画素の明度をさらに増加させるために、黄およびシアンサブ画素の輝度の増加を継続する。
【００９９】
黄サブ画素の輝度の増加率はシアンサブ画素よりも高いので、黄サブ画素の輝度はシアンサブ画素よりも先に「１」に達する。黄サブ画素の輝度は、「１」に達した後、「１」に保持され、次に、赤サブ画素の輝度の増加を開始する。ここでも、赤サブ画素の輝度の増加率はシアンおよび赤サブ画素の輝度の増加に伴い色相（Ｇ）を変化させないように設定されている。
【０１００】
シアンサブ画素の輝度は赤サブ画素よりも先に「１」に達する。シアンサブ画素の輝度は、「１」に達した後、「１」に保持され、次に、青サブ画素の輝度の増加を開始する。ここでも、青サブ画素の輝度の増加率は赤および青サブ画素の輝度の増加に伴い色相（Ｇ）を変化させないように設定されている。
【０１０１】
赤および青サブ画素の輝度が増加してほぼ同時に「１」に達する。その後、マゼンタサブ画素の輝度の増加を開始する。マゼンタサブ画素の輝度が増加して「１」に達すると、画素によって表示される色は白になる。
【０１０２】
なお、図１４を参照した説明では、黄サブ画素の輝度の増加率はシアンサブ画素よりも高いが、本発明はこれに限定されない。シアンサブ画素の輝度の増加率は黄サブ画素よりも高くてもよい。この場合、図１５に示すように、緑サブ画素の輝度が「１」に達した後、黄およびシアンサブ画素の輝度の増加を継続すると、シアンサブ画素の輝度は黄サブ画素よりも先に「１」に達する。シアンサブ画素の輝度は、「１」に達した後、「１」に保持され、次に、青サブ画素の輝度の増加を開始する。ここでも、青サブ画素の輝度の増加率は黄および青サブ画素の輝度の増加に伴い色相（Ｇ）を変化させないように設定されている。
【０１０３】
黄サブ画素の輝度は青サブ画素よりも先に「１」に達する。黄サブ画素の輝度は、「１」に達した後、「１」に保持され、次に、赤サブ画素の輝度の増加を開始する。ここでも、赤サブ画素の輝度の増加率は青および赤サブ画素の輝度の増加に伴い色相（Ｇ）を変化させないように設定されている。その後のサブ画素の輝度の変化は、図９および図１４を参照して上述したのと同様である。
【０１０４】
また、図９を参照して上述した説明では、赤サブ画素の輝度の増加率は青サブ画素と等しいが、本発明はこれに限定されない。赤サブ画素の輝度の増加率は青サブ画素よりも高くてもよい。この場合、図１６に示すように、黄およびシアンサブ画素の輝度が「１」に達した後、赤および青サブ画素の輝度の増加を開始する。赤および青サブ画素の輝度が増加すると、赤サブ画素の輝度は青サブ画素よりも先に「１」に達する。赤サブ画素の輝度は、「１」に達した後、「１」に保持され、次に、マゼンタサブ画素の輝度の増加を開始する。ここでも、マゼンタサブ画素の輝度の増加率は青およびマゼンタサブ画素の輝度の増加に伴い色相（Ｇ）を変化させないように設定されている。青およびマゼンタサブ画素の輝度が増加して同時に「１」に達すると、画素によって表示される色は白になる。
【０１０５】
なお、図１６を参照した説明では、赤サブ画素の輝度の増加率は青サブ画素よりも高いが、本発明はこれに限定されない。青サブ画素の輝度の増加率は赤サブ画素よりも高くてもよい。この場合、図１７に示すように、黄およびシアンサブ画素の輝度が「１」に達した後、赤および青サブ画素の輝度の増加を開始する。赤および青サブ画素の輝度が増加すると、青サブ画素の輝度は赤サブ画素よりも先に「１」に達する。青サブ画素の輝度は、「１」に達した後、「１」に保持され、次に、マゼンタサブ画素の輝度の増加を開始する。ここでも、マゼンタサブ画素の輝度の増加率は赤およびマゼンタサブ画素の輝度の増加に伴い色相（Ｇ）を変化させないように設定されている。赤およびマゼンタサブ画素の輝度が増加して同時に「１」に達すると、画素によって表示される色は白になる。
【０１０６】
なお、図９および図１４〜図１７に、画素によって表示される色が黒から色相（Ｇ）の最明色を経て白に変化する場合の各サブ画素の輝度の変化の一例を示したが、本発明はこれに限定されない。各サブ画素の輝度は別の態様で変化してもよい。
【０１０７】
また、上述した説明では、画素によって表示される色が黒から色相（Ｇ）の最明色を経て白に変化する場合の各サブ画素の輝度の変化を説明したが、画素によって表示される色が黒から色相（Ｒ）または（Ｂ）の最明色を経て白に変化する場合の各サブ画素の輝度の変化も同様である。例えば、画素によって表示される色が黒から色相（Ｒ）の最明色に変化する間、赤サブ画素だけでなく色相（Ｒ）の両隣の色相（Ｙｅ）および（Ｍ）に対応する黄およびマゼンタサブ画素を点灯させる。また、画素によって表示される色が黒から色相（Ｂ）の最明色に変化する間、青サブ画素だけでなく色相（Ｂ）の両隣の色相（Ｍ）および（Ｃ）に対応するマゼンタおよびシアンサブ画素を点灯させる。
【０１０８】
以上のように、画素によって表示される色が黒から色相（Ｒ）、（Ｇ）または（Ｂ）の最明色に変化する場合、比較例１および２の表示装置では１つのサブ画素のみが点灯したのに対して本実施形態の表示装置１００では３つのサブ画素が点灯するため、誤認が抑制される。なお、画素によって表示される色が黒から色相（Ｙｅ）、（Ｃ）または（Ｍ）の最明色を経て白に変化する場合の各サブ画素の輝度の変化は若干異なる。以下、比較例１および２の表示装置と比較して本実施形態の表示装置１００の利点を説明する。ここでは、画素によって表示される色が黒から色相（Ｃ）の最明色を経て白に変化する。
【０１０９】
まず、比較例１の表示装置を説明する。図６６を参照して上述したように、３原色表示装置では、緑および青サブ画素の輝度が「１」に達した後、他のサブ画素（すなわち、赤サブ画素）の輝度の増加を同時に開始する。比較例１の表示装置では、シアン、青および緑サブ画素の輝度の増加を同時に開始し、「１」に達した後、他のサブ画素（すなわち、黄、マゼンタおよび赤サブ画素）の輝度の増加を同時に開始する。
【０１１０】
図１８は、比較例１の表示装置における各サブ画素の輝度の変化と画素によって表示される色の変化との関係を説明するための模式図である。図１８（ａ）は、画素によって表示される色の変化を示す図であり、図１８（ｂ）は、シアン、青、緑、マゼンタ、黄および赤サブ画素の輝度の変化を示す図である。
【０１１１】
はじめ、すべてのサブ画素、すなわち、シアン、青、緑、マゼンタ、黄および赤サブ画素の輝度が「０」であり、画素によって表示される色は黒である。まず、シアン、青および緑サブ画素の輝度の増加を開始する。シアン、青および緑サブ画素の輝度は同じ増加率で増加する。シアン、青および緑サブ画素の輝度が増加するほど、画素によって表示される色の彩度および明度が増加する。
【０１１２】
シアン、青および緑サブ画素の輝度が「１」に達すると、画素によって表示される色は色相（Ｃ）の最明色となる。その後、比較例１の表示装置では、図１８（ｂ）に示すように、他のサブ画素（すなわち、マゼンタ、黄および赤サブ画素）の輝度の増加を同時に開始する。マゼンタ、黄および赤サブ画素の輝度は同じ増加率で増加する。この場合も、サブ画素の輝度の増加により、画素によって表示される色の明度も増加する。すべてのサブ画素の輝度が「１」となると、画素によって表示される色は白となる。
【０１１３】
このように、比較例１の表示装置では、画素によって表示される色が黒から色相（Ｃ）の最明色に変化する間、シアン、青および緑サブ画素の輝度は等しい増加率で増加する。上述の説明から理解されるように、一般に、同程度の輝度レベルで比較した場合、青および緑サブ画素によって表示されるシアンの彩度はシアンサブ画素によって表示されるシアンの彩度よりも低く、比較例１の表示装置は、特に、低い明度において彩度の高い色を表現できない。
【０１１４】
次に、比較例２の表示装置を説明する。比較例２の表示装置では、シアンサブ画素の輝度が増加して「１」に達した後、青および緑サブ画素の輝度の増加を開始する。比較例２の表示装置は、最明色の位置を除いて特許文献３に開示されている表示装置に対応している。
【０１１５】
図１９は、比較例２の表示装置における各サブ画素の輝度の変化と画素によって表示される色の変化との関係を説明するための模式図である。図１９（ａ）は、画素によって表示される色の変化を示す図であり、図１９（ｂ）は、シアン、青、緑、マゼンタ、黄および赤サブ画素の輝度の変化を示す図である。
【０１１６】
はじめ、すべてのサブ画素、すなわち、シアン、青、緑、マゼンタ、黄および赤サブ画素の輝度が「０」であり、画素によって表示される色は黒である。まず、シアンサブ画素の輝度の増加を開始する。シアンサブ画素の輝度が増加すると、画素によって表示される色の彩度および明度が増加する。
【０１１７】
シアンサブ画素の輝度は、「１」に達した後、「１」に保持され、次に、青および緑サブ画素の輝度の増加を開始する。青および緑サブ画素の輝度が増加するほど、画素によって表示される色の明度は増加する。青および緑サブ画素の輝度の増加率は、画素によって表示される色の色相（Ｃ）を変化させないように設定されている。ここでは、青サブ画素の輝度の増加率は緑サブ画素と等しい。
【０１１８】
青サブ画素の輝度の増加率は緑サブ画素と等しいので、青および緑サブ画素の輝度は増加して同時に「１」に達する。青および緑サブ画素の輝度は、「１」に達した後、「１」に保持され、次に、マゼンタおよび黄サブ画素の輝度の増加を開始する。マゼンタおよび黄サブ画素の輝度の増加率は、色相（Ｃ）を変化させないように設定されている。ここでは、マゼンタサブ画素の輝度の増加率は黄サブ画素と等しい。
【０１１９】
マゼンタサブ画素の輝度は黄サブ画素と同時に「１」に達する。次に、赤サブ画素の輝度の増加を開始する。赤サブ画素の輝度が増加して「１」に達すると、画素によって表示される色は白になる。
【０１２０】
このような比較例２の表示装置において、画素によって表示される色が黒から色相（Ｃ）の最明色に変化する間のうち、青および緑サブ画素の輝度の増加を開始する前には、シアンサブ画素のみが点灯しており、他のサブ画素は非点灯である。この場合、図２０に示すように、１画素内において非点灯のサブ画素の占める面積が大きく、非点灯のサブ画素が黒を表示しているようにみえてしまい、シアンだけでなく黒も表示されていると誤認される。また、１つの画素に属するサブ画素が１行に配列されている構成において、１列の画素のそれぞれのシアンサブ画素のみが点灯していると、細いシアン線とともに太い黒線が表示されているように見え、シアンの縞の表示と誤認される。
【０１２１】
なお、画素によって表示される色が黒から色相（Ｃ）の最明色を介して白に変化する場合、比較例３の表示装置におけるサブ画素は、図１８を参照して上述した比較例１と同様に変化する。したがって、ここでは重複する説明を省略する。
【０１２２】
本実施形態の表示装置１００では、画素によって表示される色が黒から色相（Ｃ）の最明色に変化する場合、シアンサブ画素の輝度の増加を開始するとともに、シアンサブ画素よりも低い増加率で色相（Ｃ）に隣接する２つの色相（すなわち、（Ｂ）および（Ｇ））に対応する青サブ画素および緑サブ画素の輝度の増加を開始する。
【０１２３】
以下に、図２１を参照して、本実施形態の表示装置１００において、画素によって表示される色が黒から色相（Ｃ）の最明色を経て白に変化する場合の各サブ画素の輝度の変化を説明する。図２１は、本実施形態の表示装置１００における各サブ画素の輝度の変化と画素によって表示される色の変化との関係を説明するための模式図である。図２１（ａ）は、画素によって表示される色の変化を示す図であり、図２１（ｂ）は、シアン、青、緑、マゼンタ、黄および赤サブ画素の輝度の変化を示す図である。
【０１２４】
はじめ、すべてのサブ画素、すなわち、シアン、青、緑、マゼンタ、黄および赤サブ画素の輝度が「０」であり、画素によって表示される色は黒である。まず、シアンサブ画素の輝度とともに、青および緑サブ画素の輝度をシアンサブ画素よりも低い増加率で増加させる。青および緑サブ画素の輝度の増加率は、画素によって表示される色の色相（Ｃ）を変化させないように設定されている。画素によって表示される色の色相角は対象の色相角に対して±２０度以内、好ましくは±１０度以内で変化する。ここでは、青サブ画素の輝度の増加率は緑サブ画素と等しい。
【０１２５】
シアン、青および緑サブ画素の輝度が増加するほど、画素によって表示される色の彩度および明度は増加する。シアンサブ画素の輝度は青および緑サブ画素よりも先に「１」に達する。
【０１２６】
シアンサブ画素の輝度は、「１」に達した後、「１」に保持され、その後、青および緑サブ画素の輝度の増加がさらに継続する。青サブ画素の輝度の増加率は緑サブ画素と等しいので、青および緑サブ画素の輝度は同時に「１」に達する。
【０１２７】
青および緑サブ画素の輝度は、「１」に達した後、「１」に保持され、次に、画素の明度をさらに増加させるために、色相（Ｃ）に対して色相（Ｂ）と同じ側にあり、色相（Ｂ）の次に近い色相（Ｍ）に対応するマゼンタサブ画素、および、色相（Ｃ）に対して色相（Ｇ）と同じ側にあり、色相（Ｇ）の次に近い色相（Ｙｅ）に対応する黄サブ画素の輝度の増加を開始する。マゼンタおよび黄サブ画素の輝度の増加率は色相（Ｃ）を変化させないように設定されており、ここでは、マゼンタサブ画素の輝度の増加率は黄サブ画素と等しい。
【０１２８】
マゼンタおよび黄サブ画素の輝度は、同時に「１」に達すると、「１」に保持され、次に、赤サブ画素の輝度の増加を開始する。赤サブ画素の輝度が増加して「１」に達すると、画素によって表示される色は白になる。
【０１２９】
ここで、比較例１、２の表示装置および本実施形態の表示装置１００を比較する。比較例１の表示装置では、画素によって表示される色が黒から色相（Ｃ）の最明色に変化する間、青および緑サブ画素の輝度をシアンサブ画素と等しい増加率で増加させている。上述の説明から理解されるように、同程度の輝度レベルで比較した場合、一般に、緑および青サブ画素によって表示されるシアンの彩度はシアンサブ画素によって表示されるシアンの彩度よりも低く、比較例１の表示装置は、特に、低い明度において彩度の高い色を表現できない。
【０１３０】
また、比較例２の表示装置では、画素によって表示される色が黒から色相（Ｃ）の最明色に変化する場合、まず、シアンサブ画素の輝度のみの増加を開始しており、この期間において、図２０に示したように、シアンサブ画素のみが点灯している。このため、１画素内において非点灯のサブ画素の占める面積が大きく、非点灯のサブ画素が黒を表示しているようにみえてしまい、シアンだけでなく黒が表示されていると誤認され、表示品位が低下する。
【０１３１】
本実施形態の表示装置１００において、緑および青サブ画素の輝度の増加率はシアンサブ画素よりも低い。上述したように、同程度の輝度レベルで比較した場合、一般に、緑および青サブ画素によって表示されるシアンの彩度はシアンサブ画素によって表示されるシアンの彩度よりも低いため、本実施形態の表示装置１００は、比較例１の表示装置よりも高い彩度の色を表現することができる。
【０１３２】
また、本実施形態の表示装置１００では、画素によって表示される色が黒から色相（Ｃ）の最明色に変化する場合、シアンサブ画素の輝度の増加だけでなく青および緑サブ画素の輝度の増加を開始しており、図２２に示したように、シアンサブ画素だけでなく青および緑サブ画素も点灯している。この場合、１画素内において非点灯のサブ画素の占める面積が小さくなり、誤認が抑制される。
【０１３３】
また、比較例２の表示装置は少なくとも一部の明度において色再現範囲を表示装置１００よりも有効に利用している。具体的には、表示装置１００の最明色よりも低い明度において、比較例２の表示可能な彩度の上限は表示装置１００よりも高い。
【０１３４】
ここで、図２３を参照して、実施形態１の多原色表示装置１００において、画素によって表示される色の変化とサブ画素の点灯・非点灯の変化との関係を説明する。ここでは、比較のために、３原色表示装置５００を示しており、入力信号として、ＲＧＢの３原色信号を用いている。または、入力信号は、一般にカラーテレビに用いられているＹＣｒＣｂ信号のように、ＲＧＢの３原色信号に変換可能な信号であってもよい。
【０１３５】
図２３に示すように、本実施形態の表示装置１００および３原色表示装置５００の両方に、同じ入力信号が入力される。この入力信号は、多原色表示パネル１１０および表示パネル５１０の全体が黒から色相（Ｃ）の最明色を経て白に変化するグラデーション表示を行うような信号である。このような入力信号を用いることにより、多原色表示装置が本実施形態の表示装置１００であるか容易に確認することができる。
【０１３６】
従来の表示装置５００において、表示パネル５１０の部分Ｋは黒を表示する。部分Ｋでは、すべてのサブ画素の輝度は「０」である。表示パネル５１０の部分Ｓは色相（Ｃ）の最明色を表示する。部分Ｓでは、緑および青サブ画素の輝度が「１」であるのに対して、赤サブ画素の輝度は「０」である。表示パネル５１０において部分Ｋから部分Ｓに進むにしたがって、緑および青サブ画素の輝度が増加し、画素の明度が高くなっている。
【０１３７】
また、表示パネル５１０の部分Ｗは白を表示する。部分Ｗにおいて、すべてのサブ画素の輝度は「１」である。表示パネル５１０において部分Ｓから部分Ｗに進むにしたがって、赤サブ画素の輝度が増加し、画素の明度が高くなっている。
【０１３８】
これに対して、本実施形態の表示装置１００では、多原色表示パネル１１０の部分Ｋは黒を表示する。したがって、部分Ｋにおいてすべてのサブ画素の輝度は「０」である。多原色表示パネル１１０の部分Ｓは色相（Ｃ）の最明色を表示する。部分Ｓでは、シアンサブ画素の輝度が「１」であり、青および緑サブ画素の輝度は「０．３１」であり、赤、黄およびマゼンタサブ画素の輝度は「０」である。多原色表示パネル１１０において、部分Ｋから部分Ｓに進むにしたがって、シアンサブ画素の輝度とともに青および緑サブ画素の輝度が増加する。これにより、画素の明度が高くなっている。
【０１３９】
また、多原色表示パネル１１０の部分Ｗは白を表示する。部分Ｗにおいて、すべてのサブ画素の輝度は「１」である。多原色表示パネル１１０において、部分Ｓから部分Ｗに進むにしたがって、青および緑サブ画素の輝度の増加が続き、その後、マゼンタおよび黄サブ画素の輝度の増加が開始され、最後に、赤サブ画素の輝度の増加が開始される。なお、これらのサブ画素の輝度は、グラデーション表示を行う多原色表示パネル１１０および表示パネル５１０の画素をルーペなどで拡大して観察することによってチェックすることができる。
【０１４０】
なお、上述した説明では、青サブ画素の輝度の増加率は緑サブ画素と等しいが、本発明はこれに限定されない。青および緑サブ画素の輝度の増加率は画素によって表示される色の色相（Ｃ）を変化させないように設定されていればよい。例えば、青サブ画素の輝度を緑サブ画素の輝度と等しい増加率で増加させたと仮定すると、画素によって表示される色の色相が色相（Ｃ）から色相（Ｇ）の方に変化してしまう場合、青サブ画素の輝度の増加率は緑サブ画素よりも高くてもよい。以下、図２４を参照して、本実施形態の表示装置１００において、画素によって表示される色が黒から色相（Ｃ）の最明色を経て白に変化する場合の各サブ画素の輝度の変化を説明する。
【０１４１】
はじめ、すべてのサブ画素、すなわち、シアン、青、緑、マゼンタ、黄および赤サブ画素の輝度が「０」であり、画素によって表示される色は黒である。表示装置１００では、シアンサブ画素の輝度とともに、シアンサブ画素よりも低い増加率で青および緑サブ画素の輝度を増加させる。
【０１４２】
青および緑サブ画素の輝度の増加率は、画素によって表示される色の色相（Ｃ）を変化させないように設定されており、ここでは、青サブ画素の輝度の増加率は緑サブ画素よりも高い。ただし、上述したように、この制御を具現化する回路における数値の量子化等の結果、シアンサブ画素の輝度の増加を先に開始し、その後、青サブ画素および緑サブ画素の順番に輝度の増加を開始してもよい。
【０１４３】
シアン、青および緑サブ画素の輝度が増加するほど、画素によって表示される色の彩度および明度は増加する。シアンサブ画素の輝度は、「１」に達した後、「１」に保持され、その後、画素の明度をさらに増加させるために、青および緑サブ画素の輝度の増加をさらに継続する。
【０１４４】
青サブ画素の輝度の増加率は緑サブ画素よりも高いので、青サブ画素の輝度は緑サブ画素よりも先に「１」に達する。青サブ画素の輝度は、「１」に達した後、「１」に保持される。次に、マゼンタサブ画素の輝度の増加を開始する。ここでも、マゼンタサブ画素の輝度の増加率は緑およびマゼンタサブ画素の輝度の増加に伴い色相（Ｃ）を変化させないように設定されている。
【０１４５】
緑サブ画素の輝度はマゼンタサブ画素よりも先に「１」に達する。緑サブ画素の輝度は、「１」に達した後、「１」に保持され、次に、黄サブ画素の輝度の増加を開始する。ここでも、黄サブ画素の輝度の増加率はマゼンタおよび黄サブ画素の輝度の増加に伴い色相（Ｃ）を変化させないように設定されている。
【０１４６】
マゼンタおよび黄サブ画素の輝度が増加してほぼ同時に「１」に達する。その後、赤サブ画素の輝度の増加を開始する。赤サブ画素の輝度が増加して「１」に達すると、画素によって表示される色は白になる。
【０１４７】
なお、図２４を参照した説明では、青サブ画素の輝度の増加率は緑サブ画素よりも高いが、本発明はこれに限定されない。緑サブ画素の輝度の増加率は青サブ画素よりも高くてもよい。この場合、図２５に示すように、シアンサブ画素の輝度が「１」に達した後、緑および青サブ画素の輝度の増加を継続すると、緑サブ画素の輝度は青サブ画素よりも先に「１」に達する。緑サブ画素の輝度は、「１」に達した後、「１」に保持され、次に、黄サブ画素の輝度の増加を開始する。ここでも、黄サブ画素の輝度の増加率は青および黄サブ画素の輝度の増加に伴い色相（Ｃ）を変化させないように設定されている。
【０１４８】
青サブ画素の輝度は黄サブ画素よりも先に「１」に達する。青サブ画素の輝度は、「１」に達した後、「１」に保持され、次に、マゼンタサブ画素の輝度の増加を開始する。ここでも、マゼンタサブ画素の輝度の増加率は黄およびマゼンタサブ画素の輝度の増加に伴い色相（Ｃ）を変化させないように設定されている。その後のサブ画素の輝度の変化は、図２１および図２４を参照して上述したのと同様である。
【０１４９】
なお、図２１を参照して上述した説明では、マゼンタサブ画素の輝度の増加率は黄サブ画素と等しいが、本発明はこれに限定されない。マゼンタサブ画素の輝度の増加率は黄サブ画素よりも高くてもよい。この場合、図２６に示すように、青および緑サブ画素の輝度が「１」に達した後、黄およびマゼンタサブ画素の輝度の増加を開始すると、マゼンタサブ画素の輝度は黄サブ画素よりも先に「１」に達する。マゼンタサブ画素の輝度は、「１」に達した後、「１」に保持され、次に、赤サブ画素の輝度の増加を開始する。ここでも、赤サブ画素の輝度の増加率は黄および赤サブ画素の輝度の増加に伴い色相（Ｃ）を変化させないように設定されている。黄および赤サブ画素の輝度が増加して同時に「１」に達すると、画素によって表示される色は白になる。
【０１５０】
なお、図２６を参照した説明では、マゼンタサブ画素の輝度の増加率は黄サブ画素よりも高いが、本発明はこれに限定されない。黄サブ画素の輝度の増加率はマゼンタサブ画素よりも高くてもよい。この場合、図２７に示すように、青および緑サブ画素の輝度が「１」に達した後、マゼンタおよび黄サブ画素の輝度の増加を開始すると、黄サブ画素の輝度はマゼンタサブ画素よりも先に「１」に達する。黄サブ画素の輝度は、「１」に達した後、「１」に保持され、次に、赤サブ画素の輝度の増加を開始する。ここでも、赤サブ画素の輝度の増加率はマゼンタおよび赤サブ画素の輝度の増加に伴い色相（Ｃ）を変化させないように設定されている。マゼンタおよび赤サブ画素の輝度が増加して同時に「１」に達すると、画素によって表示される色は白になる。
【０１５１】
なお、図２１および図２４〜図２７に、画素によって表示される色が黒から色相（Ｃ）の最明色を経て白に変化する場合の各サブ画素の輝度の変化の一例を示したが、本発明はこれに限定されない。各サブ画素の輝度は別の態様で変化してもよい。
【０１５２】
また、上述した説明では、画素によって表示される色が黒から色相（Ｃ）の最明色を経て白に変化する場合の各サブ画素の輝度の変化を説明したが、画素によって表示される色が黒から色相（Ｙｅ）または（Ｍ）の最明色を経て白に変化する場合の各サブ画素の輝度の変化も同様である。例えば、画素によって表示される色が黒から色相（Ｙｅ）の最明色に変化する間、黄サブ画素だけでなく色相（Ｙｅ）の両隣の色相（Ｒ）および（Ｇ）に対応する赤および緑サブ画素を点灯させる。また、画素によって表示される色が黒から色相（Ｍ）の最明色に変化する間、マゼンタサブ画素だけでなく色相（Ｍ）の両隣の色相（Ｒ）および（Ｂ）に対応する赤および青サブ画素を点灯させる。
【０１５３】
なお、図３を参照して上述した説明では、複数の色相のそれぞれにおいて、隣接する２つの色相の差は互いに等しいが、本発明はこれに限定されない。隣接する２つの色相の差は異なってもよい。
【０１５４】
図２８は、ＸＹＺ表色系ｘｙ色度図を示した模式図である。図２８にはスペクトル軌跡および主波長を示している。本明細書において、赤サブ画素の主波長は６０５ｎｍ以上６３５ｎｍ以下であり、黄サブ画素の主波長は５６５ｎｍ以上５８０ｎｍ以下であり、緑サブ画素の主波長は５２０ｎｍ以上５５０ｎｍ以下であり、シアンサブ画素の主波長は４７５ｎｍ以上５００ｎｍ以下であり、青サブ画素の主波長は４７０ｎｍ以下である。また、マゼンタサブ画素の補助主波長は４９５ｎｍ以上５６５ｎｍ以下である。
【０１５５】
なお、上述した説明では、入力信号はＢＴ．７０９規格に準拠しており、入力信号に示された（または入力信号の値から変換可能な）階調レベルｒ、ｇ、ｂは例えば０〜２５５の範囲内にあったが、本発明はこれに限定されない。ｘｖＹＣＣ規格等に準拠する入力信号では、入力信号の取り得る値が規定されていない。この場合、３原色表示装置において各サブ画素の輝度レベルの取り得る値を例えば−０．０５〜１．３３までとし、階調レベルｒ、ｇ、ｂは、−６５階調レベルから２９０階調レベルまでの３５５階調と独自に設定してもよい。この場合、階調レベルｒ、ｇ、ｂのいずれかが負の値であると、多原色表示パネル１１０は、階調レベルｒ、ｇ、ｂが０〜２５５の範囲内にある場合に表現可能な色の範囲よりも外側の色を表現することができる。
【０１５６】
なお、上述した説明では、同一画素に属するサブ画素は行方向に一列に沿って配列されていたが、本発明はこれに限定されない。同一画素に属するサブ画素が行方向および列方向に一列に沿って配列されていてもよい。あるいは、同一画素に属するサブ画素は複数の行および複数の列に配列されていてもよい。例えば、図２９に示すように、１つの画素に属するサブ画素は２行にわたって配列されてもよい。
【０１５７】
（実施形態２）
以下、本発明による多原色表示装置の第２実施形態を説明する。
【０１５８】
図３０に、本実施形態の多原色表示装置１００Ａの模式図を示す。また、図３１に、多原色表示装置１００Ａにおける多原色表示パネル１１０Ａに設けられた複数のサブ画素の配列を示す。本実施形態の表示装置１００Ａは、画素がマゼンタサブ画素の代わりに別の赤サブ画素を有する点を除いて、上述した実施形態１の表示装置と同様の構成を有している。したがって、冗長を避ける目的で、重複する説明を省略する。
【０１５９】
図３１には、画素および画素に対応するサブ画素の配列を示している。図３１では、例示として、３行３列の画素を示している。多原色表示パネル１１０Ａには、６種類のサブ画素、すなわち、赤サブ画素Ｒａ、緑サブ画素Ｇ、青サブ画素Ｂ、黄サブ画素Ｙｅ、シアンサブ画素Ｃおよび赤サブ画素Ｒｂが設けられている。本明細書の以下の説明において、赤サブ画素Ｒａを第１赤サブ画素とも称し、赤サブ画素Ｒｂを第２赤サブ画素とも称する。このように多原色表示パネル１１０Ａにおいて各画素は６種類のサブ画素を有しているが、原色の数は５である。このようなサブ画素配列は、例えば、特許文献３に開示されている。
【０１６０】
ここでは、第２赤サブ画素Ｒｂは、第１赤サブ画素Ｒａと同様に作製されており、第２赤サブ画素Ｒｂの色相および彩度は第１赤サブ画素Ｒａと等しい。しかしながら、第２赤サブ画素Ｒｂは、第１赤サブ画素Ｒａとは異なる信号線（図示せず）に接続されており、第２赤サブ画素Ｒｂは第１赤サブ画素Ｒａとは独立に制御可能である。
【０１６１】
表示に用いる原色の数を増やすと、１画素あたりのサブ画素の数が増えるので、各サブ画素の面積は必然的に小さくなり、各サブ画素が表示する色の明度（ＸＹＺ表色系におけるＹ値に相当）が低くなる。例えば、表示に用いる原色の数を３から６に増やすと、各サブ画素の面積は約半分となり、各サブ画素の明度（Ｙ値）も約半分となる。「明度」は、「色相」や「彩度」とともに色を規定する３つの要素のうちの１つであり、原色の数を増やすことによってｘｙ色度図上における色再現範囲（つまり表現可能な「色相」および「彩度」の範囲）が広がるものの、「明度」が低下すると実際の色再現範囲（「明度」も含めた色再現範囲）を十分に広くすることはできない。特に、赤サブ画素の面積を減らすと、赤のＹ値が小さくなるため、暗い赤しか表示することができず、物体色の赤を十分に表現することができない。
【０１６２】
これに対して、本実施形態の表示装置１００Ａにおける多原色表示パネル１１０Ａでは、６種類のうち、２種類のサブ画素（第１赤サブ画素Ｒａおよび第２赤サブ画素Ｒｂ）が赤を表示するので、赤の明度（Ｙ値）を向上することができ、明るい赤を表示することができる。したがって、ｘｙ色度図上に表される色相および彩度だけでなく、明度も含めた色再現範囲を広くすることができる。なお、多原色表示パネル１１０Ａでは、マゼンタサブ画素が設けられていないが、物体色のマゼンタは、第１、第２赤サブ画素Ｒａ、Ｒｂと青サブ画素Ｂとを用いた加法混色によって十分に表現することができる。なお、行方向に隣接する画素に属するサブ画素に着目すると、ある画素に属する第１赤サブ画素Ｒａ、緑サブ画素Ｇ、青サブ画素Ｂ、黄サブ画素Ｙｅ、シアンサブ画素Ｃおよび第２赤サブ画素Ｒｂの行方向に配列される順番は隣接する画素に属するサブ画素の順番と等しく、サブ画素は周期的に配列されている。
【０１６３】
図３０に示した多原色信号生成部１２０において生成される多原色信号は、多原色表示パネル１１０Ａにおけるサブ画素の階調レベルを示している。第１赤、緑、青、黄、シアンおよび第２赤サブ画素の階調レベルをＲａ、Ｇ、Ｂ、Ｙｅ、ＣおよびＲｂと示し、図３０には、階調レベルＲａ、Ｇ、Ｂ、Ｙｅ、ＣおよびＲｂをまとめてＲａＧＢＹｅＣＲｂと示している。値Ｒａ、Ｇ、Ｂ、Ｙｅ、ＣおよびＲｂのそれぞれは、６種類のサブ画素の輝度に対応する階調レベルである。例えば、画素の色が黒である場合、階調レベルＲａ、Ｇ、Ｂ、Ｙｅ、ＣおよびＲｂのすべてが最小階調レベル（例えば、階調レベル０）であり、各サブ画素の輝度レベルＹRa、ＹG、ＹB、ＹYe、ＹC、ＹRbは「０」である。また、画素の色が白である場合、階調レベルＲａ、Ｇ、Ｂ、Ｙｅ、ＣおよびＲｂのすべてが最大階調レベル（例えば、階調レベル２５５）であり、各サブ画素の輝度レベルＹRa、ＹG、ＹB、ＹYe、ＹC、ＹRbは「１」である。
【０１６４】
多原色信号生成部１２０は、例えば、３原色表示装置のための入力信号の階調レベルｒｇｂに基づいて階調レベルＲａ、Ｇ、Ｂ、Ｙｅ、ＣおよびＲｂを得る。このように、多原色信号生成部１２０は、多原色表示を行うために、入力信号において３次元で表記された値ｒｇｂを値ＲａＧＢＹｅＣＲｂに変換する。
【０１６５】
なお、ここでは、第１赤サブ画素のためのカラーフィルタは、第２赤サブ画素と同様の材料から形成されており、第１赤サブ画素Ｒａの色相は第２赤サブ画素Ｒｂと等しい。また、第１赤サブ画素Ｒａの液晶層に印加される電圧は第２赤サブ画素Ｒｂの液晶層に印加される電圧と等しく、第１赤サブ画素Ｒａによって表示される色は第２赤サブ画素Ｒｂと等しい。このため、以下の説明において、特に説明する場合を除き、赤サブ画素の階調レベル（例えば、０〜２５５）および輝度レベル（「０」〜「１」）は、２つの赤サブ画素全体の階調レベルおよび輝度レベルを示す。
【０１６６】
図３２は、本実施形態の表示装置１００Ａの多原色表示パネル１１０Ａにおけるサブ画素の各色についてのａ*およびｂ*をプロットしたＬ*ａ*ｂ*表色系のａ*ｂ*平面を示す模式図である。図３２には、そのサブ画素のみによって表示される色の色相角が示されている。ここで、Ｒは２７°、Ｙｅは９９°、Ｇは１７１°、Ｃは２４３°、Ｂは３１５°である。多原色表示パネル１１０Ａにおけるサブ画素の色相角は、図３との比較から理解されるように同様の色相であってもわずかに異なる。これは、サブ画素の数や色によって効率の良い色再現性を実現するための画素設計が異なるからである。
【０１６７】
ここで、図３２を参照して、各サブ画素の色相の近さ・遠さを検討する。上述したように、色相の近さ・遠さは、色相角の差によって表される。緑サブ画素の色相（Ｇ）を基準として他のサブ画素の色相との近さを検討すると、色相（Ｇ）に最も近い色相は（Ｙｅ）および（Ｃ）（色相角の差７２°）であり、次に近い色相は（Ｒ）および（Ｂ）（色相角の差１４４°）である。ここで、（Ｙｅ）は（Ｇ）に対して時計回りの方向にあり、（Ｃ）は（Ｇ）に対して反時計回りの方向にある。すなわち、Ｌ*ａ*ｂ*表色系のａ*ｂ*平面において（Ｃ）は（Ｇ）に対して（Ｙｅ）と反対側にある。また、Ｌ*ａ*ｂ*表色系のａ*ｂ*平面において（Ｒ）は（Ｇ）に対して（Ｙｅ）と同じ側にあり、（Ｂ）は（Ｇ）に対して（Ｃ）と同じ側にある。また、Ｌ*ａ*ｂ*表色系のａ*ｂ*平面において、時計回りの方向で（Ｇ）に最も近いのは（Ｙｅ）であり、反時計回りの方向で（Ｇ）に最も近いのは（Ｃ）である。このように、Ｌ*ａ*ｂ*表色系のａ*ｂ*平面において、（Ｙｅ）および（Ｃ）は（Ｇ）の両隣にある。
【０１６８】
ここで、比較例４〜６の表示装置と比較して本実施形態の多原色表示装置１００Ａの利点を説明する。まず、比較例４〜６の表示装置は、本実施形態の表示装置１００Ａの多原色表示パネル１１０Ａと同様の多原色表示パネルを有しているが、サブ画素の輝度の変化態様が異なる。
【０１６９】
以下、比較例４〜６の表示装置および本実施形態の表示装置１００Ａにおいて、画素によって表示される色が黒から色相（Ｇ）の最明色を経て白に変化する場合の各サブ画素の輝度の変化を説明する。
【０１７０】
まず、比較例４の表示装置を説明する。図６５を参照して上述したように、３原色表示装置では、緑サブ画素の輝度が「１」に達した後、他のサブ画素（すなわち、赤および青サブ画素）の輝度の増加を同時に開始する。比較例４の表示装置では、３原色表示装置と同様に、緑サブ画素の輝度が「１」に達した後、他のサブ画素（すなわち、黄、シアン、赤および青サブ画素）の輝度の増加を同時に開始する。
【０１７１】
図３３は、比較例４の表示装置における各サブ画素の輝度の変化と画素によって表示される色の変化との関係を説明するための模式図である。図３３（ａ）は、画素によって表示される色の変化を示す図であり、図３３（ｂ）は、緑、黄、シアン、赤および青サブ画素の輝度の変化を示す図である。
【０１７２】
比較例４の表示装置でも、はじめ、すべてのサブ画素、すなわち、緑、黄、シアン、赤および青サブ画素の輝度が「０」であり、画素によって表示される色は黒である。まず、緑サブ画素の輝度の増加を開始する。緑サブ画素の輝度が増加するほど、画素によって表示される色の彩度および明度が増加する。
【０１７３】
緑サブ画素の輝度が「１」に達した後、比較例４の表示装置では、図３３（ｂ）に示すように、他のサブ画素（すなわち、黄、シアン、赤および青サブ画素）の輝度の増加を同時に開始する。黄、シアン、赤および青サブ画素の輝度は等しい増加率で増加する。この場合も、サブ画素の輝度の増加により、画素によって表示される色の明度も増加する。すべてのサブ画素の輝度が「１」となると、画素によって表示される色は白となる。
【０１７４】
このような比較例４の表示装置において、画素によって表示される色が黒から色相（Ｇ）の最明色に変化する間、緑サブ画素のみが点灯しており、他のサブ画素は非点灯である。この場合、図３４に示すように、１画素内において非点灯のサブ画素の占める面積が大きく、非点灯のサブ画素が黒を表示しているようにみえてしまい、緑だけでなく黒が表示されていると誤認される。特に、１つの画素に属するサブ画素が１行に配列されている構成において、１列の画素のそれぞれが色相（Ｇ）の最明色を表示する場合、細い緑線とともに太い黒線が表示されているように見える。
【０１７５】
次に、比較例５の表示装置を説明する。比較例５の表示装置では、画素によって表示される色が色相（Ｇ）の最明色になった後、黄およびシアンサブ画素の輝度の増加を開始する。比較例５の表示装置は、特許文献３に開示されている表示装置に対応している。
【０１７６】
図３５は、比較例５の表示装置における各サブ画素の輝度の変化と画素によって表示される色の変化との関係を説明するための模式図である。図３５（ａ）は、画素によって表示される色の変化を示す図であり、図３５（ｂ）は、緑、黄、シアン、赤および青サブ画素の輝度の変化を示す図である。
【０１７７】
比較例５の表示装置でも、はじめ、すべてのサブ画素、すなわち、緑、黄、シアン、赤および青サブ画素の輝度が「０」であり、画素によって表示される色は黒である。まず、緑サブ画素の輝度の増加を開始する。緑サブ画素の輝度が増加するほど、画素によって表示される色の彩度および明度が増加する。緑サブ画素の輝度が「１」に達すると、画素によって表示される色は、色相（Ｇ）の最明色となる。
【０１７８】
緑サブ画素の輝度は、「１」に達した後、「１」に保持され、次に、黄およびシアンサブ画素の輝度の増加を開始する。黄およびシアンサブ画素の輝度の増加率は、画素によって表示される色の色相（Ｇ）を変化させないように設定されている。ここでは、黄サブ画素の輝度の増加率はシアンサブ画素と等しい。
【０１７９】
黄サブ画素の輝度の増加率はシアンサブ画素と等しいので、黄およびシアンサブ画素の輝度は同時に「１」に達する。黄およびシアンサブ画素の輝度は、「１」に達した後、「１」に保持され、次に、赤および青サブ画素の輝度の増加を開始する。赤および青サブ画素の輝度の増加率は色相（Ｇ）を変化させないように設定されている。赤および青サブ画素の輝度が増加して同時に「１」に達すると、画素によって表示される色は白になる。
【０１８０】
比較例５の表示装置は、比較例４の表示装置よりも有効に広い色再現範囲を利用している。この理由は以下のように考えられる。緑サブ画素の輝度が「１」に達した後、画素の明度をさらに増加させるためには他の色相に対応するサブ画素の輝度を増加させる必要があるが、どのサブ画素の輝度を増加させても、画素によって表示される色の彩度は低下する。しかしながら、その中でも、色相（Ｇ）から遠い色相に対応するサブ画素の輝度を増加させると、緑の彩度が大きく低下してしまうのに対して、緑の色相（Ｇ）に近い色相に対応するサブ画素の輝度を増加させても、緑の彩度はそれほど低下しない。このため、色相（Ｇ）から遠い色相よりも色相（Ｇ）に近い色相に対応するサブ画素の輝度の増加を早く開始する方が、彩度の低下を抑制して明度を増加させることができる。その結果、比較例４の表示装置では最明色よりも高い明度において彩度が比較的低いのに対して、比較例５の表示装置では最明色よりも高い明度においても彩度が比較的高い。したがって、比較例５の表示装置は、比較例４の表示装置では表現できない彩度の高い色を表現することができる。
【０１８１】
しかしながら、比較例５の表示装置において、画素によって表示される色が黒から色相（Ｇ）の最明色に変化する間、緑サブ画素のみが点灯しており、他のサブ画素は非点灯である。この場合、図３６に示すように、１画素内において非点灯のサブ画素の占める面積が大きく、非点灯のサブ画素は黒を表示しているようにみえてしまい、緑だけでなく黒が表示されていると誤認される。特に、１つの画素に属するサブ画素が１行に配列されている構成において、１列の画素のそれぞれの緑サブ画素のみが点灯していると、細い緑線とともに太い黒線が表示されているように見える。
【０１８２】
これに対して、比較例６では、画素によって表示される色が黒から色相（Ｇ）の最明色に変化する間、緑、黄およびシアンサブ画素の輝度の増加を開始する。以下、図３７を参照して、比較例６の表示装置を説明する。
【０１８３】
図３７は、比較例６の表示装置における各サブ画素の輝度の変化と画素によって表示される色の変化との関係を説明するための模式図である。図３７（ａ）は、画素によって表示される色の変化を示す図であり、図３７（ｂ）は、緑、黄、シアン、赤および青サブ画素の輝度の変化を示す図である。
【０１８４】
比較例６の表示装置でも、はじめ、すべてのサブ画素、すなわち、緑、黄、シアン、赤および青サブ画素の輝度が「０」であり、画素によって表示される色は黒である。まず、緑サブ画素の輝度の増加を開始する。また、緑サブ画素の輝度とともに黄およびシアンサブ画素の輝度を増加させる。比較例６の表示装置では、緑、黄およびシアンサブ画素の輝度は等しい増加率で増加する。なお、緑、黄およびシアンサブ画素の輝度は、増加に伴って色相（Ｇ）を変化させないように設定されている。緑、黄およびシアンサブ画素の輝度が増加するほど、画素によって表示される色の彩度および明度が増加する。
【０１８５】
緑、黄およびシアンサブ画素の輝度が増加して「１」に達すると、「１」に保持される。この場合、画素によって表示される色は、色相（Ｇ）の最明色となる。次に、赤および青サブ画素の輝度の増加を開始する。赤および青サブ画素の輝度の増加の割合は色相（Ｇ）を変化させないように設定されている。ここでも、赤サブ画素の輝度の増加の割合は青サブ画素と等しい。赤および青サブ画素の輝度が増加して「１」に達すると、画素によって表示される色は白になる。
【０１８６】
上述の比較例４および５の表示装置との比較から理解されるように、比較例６の表示装置では、画素によって表示される色が黒から色相（Ｇ）の最明色に変化する間、緑、黄およびシアンサブ画素が点灯しており、これにより、誤認が抑制される。しかしながら、比較例６の表示装置は、広い色再現範囲を有効に利用していない。上述した説明から理解されるように、同程度の輝度レベルで比較した場合、黄およびシアンサブ画素によって表示される緑の彩度は緑サブ画素によって表示される緑の彩度よりも低く、比較例６の表示装置は、特に、低い明度において彩度の高い色を表現できない。
【０１８７】
本実施形態の表示装置１００Ａでは、比較例６の表示装置と同様に、画素によって表示される色が黒から色相（Ｇ）の最明色に変化する間、緑サブ画素の輝度とともに色相（Ｇ）に隣接する２つの色相（すなわち、（Ｙｅ）および（Ｃ））に対応する黄およびシアンサブ画素の輝度を増加させる。
【０１８８】
ここで、図３２を参照して、緑サブ画素の色相（Ｇ）と他のサブ画素の色相との近さを検討する。ここでは、色相（Ｇ）を基準として他の色相との近さを検討すると、色相（Ｇ）に最も近い色相は（Ｙｅ）および（Ｃ）（色相角の差７２°）であり、次に近い色相は（Ｒ）および（Ｂ）（色相角の差１４４°）である。
【０１８９】
（Ｙｅ）は（Ｇ）に対して時計回りの方向にあり、（Ｃ）は（Ｇ）に対して反時計回りの方向にある。すなわち、Ｌ*ａ*ｂ*表色系のａ*ｂ*平面において（Ｃ）は（Ｇ）に対して（Ｙｅ）と反対側にある。また、Ｌ*ａ*ｂ*表色系のａ*ｂ*平面において（Ｒ）は（Ｇ）に対して（Ｙｅ）と同じ側にあり、（Ｂ）は（Ｇ）に対して（Ｃ）と同じ側にある。また、Ｌ*ａ*ｂ*表色系のａ*ｂ*平面において、時計回りの方向で（Ｇ）に最も近いのは（Ｙｅ）であり、反時計回りの方向で（Ｇ）に最も近いのは（Ｃ）である。なお、ここでは、Ｌ*ａ*ｂ*表色系のａ*ｂ*平面を示す模式図を参照して色相（Ｇ）と色相（Ｙｅ）、（Ｃ）、（Ｒ）および（Ｂ）との近さを検討したが、色相（Ｒ）、（Ｙｅ）、（Ｇ）、（Ｃ）および（Ｂ）を色相環上に表し、色相（Ｇ）に対する色相（Ｒ）、（Ｙｅ）、（Ｃ）および（Ｂ）の近さを検討してもよい。
【０１９０】
以下に、図３８を参照して、本実施形態の表示装置１００Ａにおいて、画素によって表示される色が黒から色相（Ｇ）の最明色を経て白に変化する場合の各サブ画素の輝度の変化を説明する。図３８は、本実施形態の表示装置１００Ａにおける各サブ画素の輝度の変化と画素によって表示される色の変化との関係を説明するための模式図である。図３８（ａ）は、画素によって表示される色の変化を示す図であり、図３８（ｂ）は、緑、黄、シアン、赤および青サブ画素の輝度の変化を示す図である。
【０１９１】
はじめ、すべてのサブ画素、すなわち、緑、黄、シアン、赤および青サブ画素の輝度が「０」であり、画素によって表示される色は黒である。まず、緑サブ画素の輝度の増加を開始するとともに、黄およびシアンサブ画素の輝度の増加を開始する。黄サブ画素は、図３２に示したＬ*ａ*ｂ*表色系のａ*ｂ*平面において、色相（Ｇ）に対して時計回りの方向に最も近い色相（Ｙｅ）に対応しており、シアンサブ画素は、色相（Ｇ）に対して反時計回りの方向に最も近い（Ｃ）に対応している。
【０１９２】
ここでは、緑サブ画素とともに、黄およびシアンサブ画素の輝度を緑サブ画素よりも低い増加率で増加させる。黄およびシアンサブ画素の輝度の増加率は、色相（Ｇ）を変化させないように設定されており、ここでは、黄サブ画素の輝度の増加率はシアンサブ画素と等しい。
【０１９３】
なお、理想的には、黄およびシアンサブ画素の輝度の増加を緑サブ画素と同時に開始するが、上述したように、緑サブ画素の輝度の増加率は、黄およびシアンサブ画素よりも高いので、実際には、この制御を具現化する回路における数値の量子化等の結果、緑サブ画素の輝度の増加を先に開始し、その後、黄およびシアンサブ画素の輝度の増加を開始してもよい。
【０１９４】
緑、黄およびシアンサブ画素の輝度が増加するほど、画素によって表示される色の彩度および明度は増加する。緑サブ画素の輝度が「１」に達すると、画素によって表示される色は、色相（Ｇ）の最明色となる。このとき、緑、黄、シアン、赤および青サブ画素の輝度は、それぞれ、「１」、「０．３１」、「０．３１」、「０」、「０」である。
【０１９５】
緑サブ画素の輝度は、「１」に達した後、「１」に保持され、その後、画素の明度をさらに増加させるために、黄およびシアンサブ画素の輝度の増加を継続する。黄サブ画素の輝度の増加率はシアンサブ画素と等しいので、黄およびシアンサブ画素の輝度は同時に「１」に達する。黄サブ画素の輝度は、「１」に達した後、「１」に保持される。次に、図３２に示したＬ*ａ*ｂ*表色系のａ*ｂ*平面において、色相（Ｇ）に対して色相（Ｙｅ）と同じ時計回りの方向にある色相で色相（Ｙｅ）の次に近い（Ｒ）に対応する赤サブ画素、および、色相（Ｇ）に対して色相（Ｃ）と同じ反時計回りの方向にある色相で色相（Ｃ）の次に近い（Ｂ）に対応する青サブ画素の輝度の増加を開始する。ここでも、赤および青サブ画素の輝度の増加率は色相（Ｇ）を変化させないように設定されている。
【０１９６】
赤および青サブ画素の輝度が増加して、「１」に達すると、画素によって表示される色は白になる。このとき、緑、黄、シアン、赤および青サブ画素の輝度は、それぞれ、（「１」、「１」、「１」、「１」、「１」）である。
【０１９７】
ここで、比較例４および５の表示装置および本実施形態の表示装置１００Ａを比較する。比較例４および５の表示装置では、画素によって表示される色が黒から色相（Ｇ）の最明色に変化する間、緑サブ画素の輝度のみを増加させており、図３４および図３６に示したように、緑サブ画素のみが点灯し、他のサブ画素は非点灯である。
【０１９８】
これに対して、本実施形態の表示装置１００Ａでは、画素によって表示される色が黒から色相（Ｇ）の最明色に変化する間、緑サブ画素だけでなく黄およびシアンサブ画素の輝度を増加させており、図３９に示すように、緑サブ画素だけでなく黄およびシアンサブ画素も点灯している。このため、１画素内において非点灯のサブ画素の占める面積が小さく、誤認が抑制される。
【０１９９】
なお、色相（Ｇ）を変化させることなく緑サブ画素以外のサブ画素を点灯させるには、画素によって表示される色が黒から色相（Ｇ）の最明色に変化する間、例えば、緑サブ画素とともに赤および青サブ画素を点灯させてもよく、あるいは、緑、黄およびシアンサブ画素に加えて赤および青サブ画素を点灯させてもよい。しかしながら、上述した比較例５の表示装置においても説明したのと同様に、明度を増大させるために、色相（Ｇ）から遠い色相に対応するサブ画素の輝度を増加させると、緑の彩度が大きく低下してしまうのに対して、色相（Ｇ）に近い色相に対応するサブ画素の輝度を増加させても、緑の彩度はそれほど低下しない。上述したように、本実施形態の表示装置１００Ａでは、画素によって表示される色が黒から色相（Ｇ）の最明色に変化する間、緑サブ画素だけでなく、色相（Ｇ）の両隣にある色相（Ｙｅ）および（Ｃ）に対応する黄およびシアンサブ画素を点灯させており、これにより、彩度の低下を抑制している。
【０２００】
また、色相（Ｇ）の最明色を表示する場合、比較例６の表示装置では各サブ画素の階調レベルは（Ｒ、Ｇ、Ｂ、Ｙｅ、Ｃ）＝（０、２５５、０、２５５、２５５）であるのに対して、本実施形態の表示装置１００Ａでは各サブ画素の階調レベルは例えば（Ｒ、Ｇ、Ｂ、Ｙｅ、Ｃ）＝（０、２５５、０、１５０、１５０）である。この場合、本実施形態の表示装置１００Ａにおける最明色の彩度は比較例６の表示装置よりも高い。これは、最大階調レベル（最大輝度レベル）の緑サブ画素に対して他のサブ画素の輝度を増加させるほど彩度が低下するからである。このように、表示装置１００Ａは比較例６の表示装置よりも有効に色再現範囲を利用している。具体的には、表示装置１００Ａの最明色よりも高い明度において、表示装置１００Ａの表示可能な彩度の上限は比較例６と等しいが、表示装置１００Ａの最明色よりも低い明度において、表示装置１００Ａの表示可能な彩度の上限は比較例６よりも高い。
【０２０１】
なお、例えば、色相（Ｇ）の最明色を表示する場合、比較例４および５の表示装置では各サブ画素の階調レベルは（Ｒ、Ｇ、Ｂ、Ｙｅ、Ｃ）＝（０、２５５、０、０、０）であるのに対して、本実施形態の表示装置１００Ａでは各サブ画素の階調レベルは例えば（Ｒ、Ｇ、Ｂ、Ｙｅ、Ｃ）＝（０、２５５、０、１５０、１５０）である。この場合、本実施形態の表示装置１００Ａにおける最明色の彩度は比較例４および５の表示装置よりも低い。これは、最大階調レベルの緑サブ画素に対して、他のサブ画素の階調レベルを増加させるほど彩度が低下するからである。このように、比較例４および５の表示装置は少なくとも一部の明度において表示装置１００Ａよりも有効に色再現範囲を利用している。比較例４の最明色よりも低い明度において、比較例４の表示可能な彩度の上限は表示装置１００Ａよりも高い。また、表示装置１００Ａの最明色よりも低い明度において、比較例５の表示可能な彩度の上限は表示装置１００Ａよりも高い。
【０２０２】
なお、上述した説明では、黄サブ画素の輝度の増加率はシアンサブ画素と等しいが、本発明はこれに限定されない。黄およびシアンサブ画素の輝度の増加率は、画素によって表示される色の色相（Ｇ）を変化させないように設定されていればよい。例えば、黄サブ画素の輝度とシアンサブ画素の輝度とを等しい増加率で増加させたと仮定すると、画素によって表示される色の色相が色相（Ｇ）から色相（Ｃ）の方に変化してしまう場合、黄サブ画素の輝度の増加率はシアンサブ画素よりも高くなるように設定される。以下、図４０を参照して、本実施形態の表示装置１００Ａにおいて、画素によって表示される色が黒から色相（Ｇ）の最明色を経て白に変化する場合の各サブ画素の輝度の変化を説明する。
【０２０３】
はじめ、すべてのサブ画素、すなわち、緑、黄、シアン、赤および青サブ画素の輝度が「０」であり、画素によって表示される色は黒である。表示装置１００Ａでは、緑サブ画素の輝度とともに、緑サブ画素よりも低い増加率で黄およびシアンサブ画素の輝度を増加させる。
【０２０４】
黄およびシアンサブ画素の輝度の増加率は、画素によって表示される色の色相（Ｇ）を変化させないように設定されており、ここでは、黄サブ画素の輝度の増加率はシアンサブ画素よりも高い。ただし、上述したように、この制御を具現化する回路における数値の量子化等の結果、緑サブ画素の輝度の増加を先に開始し、その後、黄サブ画素およびシアンサブ画素の順番に輝度の増加を開始してもよい。
【０２０５】
緑、黄およびシアンサブ画素の輝度が増加するほど、画素によって表示される色の彩度および明度は増加する。緑サブ画素の輝度が「１」に達すると、画素によって表示される色は、色相（Ｇ）の最明色となる。緑サブ画素の輝度は、「１」に達した後、「１」に保持され、次に、画素の明度をさらに増加させるために、黄およびシアンサブ画素の輝度の増加を継続する。
【０２０６】
黄サブ画素の輝度の増加率はシアンサブ画素よりも高いので、黄サブ画素の輝度はシアンサブ画素よりも先に「１」に達する。黄サブ画素の輝度は、「１」に達した後、「１」に保持され、次に、赤サブ画素の輝度の増加を開始する。ここでも、赤サブ画素の輝度の増加率はシアンおよび赤サブ画素の輝度の増加に伴い色相（Ｇ）を変化させないように設定されている。
【０２０７】
シアンサブ画素の輝度は赤サブ画素よりも先に「１」に達する。シアンサブ画素の輝度は、「１」に達した後、「１」に保持され、次に、青サブ画素の輝度の増加を開始する。ここでも、青サブ画素の輝度の増加率は赤および青サブ画素の輝度の増加に伴い色相（Ｇ）を変化させないように設定されている。赤および青サブ画素の輝度が増加してほぼ同時に「１」に達すると、画素によって表示される色は白になる。図４０（ａ）および図４０（ｂ）に示したように、各サブ画素の輝度を変化させることにより、画素によって表示される色は黒から色相（Ｇ）の最明色を経て白に変化する。
【０２０８】
なお、原色数が５であり、２つの赤サブ画素の輝度が等しい場合、緑、黄およびシアンサブ画素の輝度がそれぞれ「１」に達した後、赤および青サブ画素の輝度は同時に「１」に達する。このことから理解されるように、黄サブ画素の輝度の増加率がシアンサブ画素よりも高い場合、黄サブ画素に続いて輝度の増加の開始する赤サブ画素の輝度の増加率は、シアンサブ画素に続いて輝度の増加の開始する青サブ画素よりも低い。
【０２０９】
図４０を参照した説明では、黄サブ画素の輝度の増加率はシアンサブ画素よりも高いが、本発明はこれに限定されない。シアンサブ画素の輝度の増加率は黄サブ画素よりも高くてもよい。この場合、図４１に示すように、緑サブ画素の輝度が「１」に達した後、黄およびシアンサブ画素の輝度の増加を継続すると、シアンサブ画素の輝度は黄サブ画素よりも先に「１」に達する。シアンサブ画素の輝度は、「１」に達した後、「１」に保持され、次に、青サブ画素の輝度の増加を開始する。ここでも、青サブ画素の輝度の増加率は黄および青サブ画素の輝度の増加に伴い色相（Ｇ）を変化させないように設定されている。
【０２１０】
黄サブ画素の輝度は青サブ画素よりも先に「１」に達する。黄サブ画素の輝度は、「１」に達した後、「１」に保持され、次に、赤サブ画素の輝度の増加を開始する。ここでも、赤サブ画素の輝度の増加率は青および赤サブ画素の輝度の増加に伴い色相（Ｇ）を変化させないように設定されている。その後のサブ画素の輝度の変化は、図３８および図４０を参照して上述したのと同様である。
【０２１１】
また、上述した説明では、黒から色相（Ｇ）の最明色を経て白に変化する場合のサブ画素の輝度の変化を説明したが、黒から色相（Ｂ）の最明色を経て白に変化する場合のサブ画素の輝度の変化も同様である。例えば、画素によって表示される色が黒から色相（Ｂ）の最明色に変化する間、青サブ画素だけでなく色相（Ｂ）の両隣の色相（Ｒ）および（Ｃ）に対応する２つの赤およびシアンサブ画素を点灯させる。
【０２１２】
なお、本実施形態の表示装置１００Ａにおいて画素はマゼンタサブ画素の代わりに第２赤サブ画素を有しており、画素によって表示される色が黒から色相（Ｒ）の最明色に変化する間、２つの赤サブ画素が点灯する。このため、非点灯のサブ画素が少なく、誤認が抑制される。
【０２１３】
また、上述した説明では、第２赤サブ画素Ｒｂは、第１赤サブ画素Ｒａと同様に作製されており、第１赤サブ画素Ｒａと第２赤サブ画素Ｒｂとの色相および彩度が等しいが、本発明はこれに限定されない。第２赤サブ画素Ｒｂは、第１赤サブ画素Ｒａと色相および彩度が異なるように作製されてもよい。また、上述した説明では、１つの画素に属する２つの赤サブ画素の輝度は等しいが、２つの赤サブ画素の輝度は異なってもよい。この場合、画素によって表示される色が黒から色相（Ｒ）の最明色に変化する間、赤サブ画素だけでなく色相（Ｒ）の両隣の色相（Ｂ）および（Ｙｅ）に対応する青および黄サブ画素を点灯させてもよい。
【０２１４】
以上のように、画素によって表示される色が黒から色相（Ｇ）または（Ｂ）の最明色に変化する場合、比較例４および５の表示装置では１つのサブ画素のみが点灯したのに対して本実施形態の表示装置１００Ａでは複数のサブ画素が点灯するため、誤認が抑制される。なお、画素によって表示される色が黒から色相（Ｙｅ）、（Ｃ）または（Ｍ）の最明色を経て白に変化する場合の各サブ画素の輝度の変化は若干異なる。なお、ここで、色相（Ｍ）赤サブ画素と青サブ画素によって表示される色の色相である。
【０２１５】
以下、比較例４および５の表示装置と比較して本実施形態の表示装置１００Ａの利点を説明する。ここでは、画素によって表示される色が黒から色相（Ｃ）の最明色を経て白に変化する。
【０２１６】
まず、図４２を参照して、比較例４の表示装置を説明する。図４２は、比較例４の表示装置における各サブ画素の輝度の変化と画素によって表示される色の変化との関係を説明するための模式図である。図４２（ａ）は、画素によって表示される色の変化を示す図であり、図４２（ｂ）は、シアン、青、緑、赤および黄サブ画素の輝度の変化を示す図である。
【０２１７】
はじめ、すべてのサブ画素、すなわち、シアン、青、緑、赤および黄サブ画素の輝度が「０」であり、画素によって表示される色は黒である。まず、シアン、青および緑サブ画素の輝度の増加を開始する。シアン、青および緑サブ画素の輝度は同じ増加率で増加する。シアン、青および緑サブ画素の輝度が増加するほど、画素によって表示される色の彩度および明度が増加する。
【０２１８】
シアン、青および緑サブ画素の輝度が「１」に達すると、画素によって表示される色は色相（Ｃ）の最明色となる。その後、比較例４の表示装置では、図４２（ｂ）に示すように、赤および黄サブ画素の輝度の増加をほぼ同時に開始する。赤および黄サブ画素の輝度は同じ増加率で増加する。この場合も、サブ画素の輝度の増加により、画素によって表示される色の明度も増加する。すべてのサブ画素の輝度が「１」となると、画素によって表示される色は白となる。
【０２１９】
このような比較例４の表示装置では、シアン、青および緑サブ画素の輝度は等しい増加率で増加している。上述したように、同程度の輝度レベルで比較した場合、一般に、青および緑サブ画素によって表示されるシアンの彩度はシアンサブ画素によって表示されるシアンの彩度よりも低く、比較例４の表示装置は、特に、低い明度において彩度の高い色を表現できない。
【０２２０】
次に、図４３を参照して比較例５の表示装置を説明する。比較例５の表示装置では、シアンサブ画素の輝度が「１」に達した後、青および緑サブ画素の輝度の増加を開始する。
【０２２１】
図４３は、比較例５の表示装置における各サブ画素の輝度の変化と画素によって表示される色の変化との関係を説明するための模式図である。図４３（ａ）は、画素によって表示される色の変化を示す図であり、図４３（ｂ）は、シアン、青、緑、赤および黄サブ画素の輝度の変化を示す図である。
【０２２２】
はじめ、すべてのサブ画素、すなわち、シアン、青、緑、赤および黄サブ画素の輝度が「０」であり、画素によって表示される色は黒である。まず、シアンサブ画素の輝度の増加を開始する。シアンサブ画素の輝度が増加すると、画素によって表示される色の彩度および明度が増加する。
【０２２３】
シアンサブ画素の輝度は、「１」に達した後、「１」に保持され、次に、青および緑サブ画素の輝度の増加を開始する。青および緑サブ画素の輝度が増加するほど、画素によって表示される色の明度は増加する。青および緑サブ画素の輝度の増加率は色相（Ｃ）を変化させないように設定されており、ここでは、青サブ画素の輝度の増加率は緑サブ画素と等しい。
【０２２４】
青および緑サブ画素の輝度は、「１」に達した後、「１」に保持され、次に、赤および黄サブ画素の輝度の増加を開始する。赤および黄サブ画素の輝度の増加率は色相（Ｃ）を変化させないように設定されている。赤および黄サブ画素の輝度が増加して「１」に達すると、画素によって表示される色は白になる。
【０２２５】
このような比較例５の表示装置において、画素によって表示される色が黒から色相（Ｃ）の最明色に変化する場合、まず、シアンサブ画素のみの輝度の増加を開始する。この期間において、図４４に示すように、シアンサブ画素のみが点灯しており、他のサブ画素は非点灯である。この場合、１画素内において非点灯のサブ画素の占める面積が大きく、非点灯のサブ画素が黒を表示しているようにみえてしまい、シアンだけでなく黒が表示されていると誤認される。特に、１つの画素に属するサブ画素が１行に配列されている構成において、１列の画素のそれぞれのシアンサブ画素のみが点灯していると、細いシアン線とともに太い黒線が表示されているように見える。
【０２２６】
なお、画素によって表示される色が黒から色相（Ｃ）の最明色を介して白に変化する場合、比較例６の表示装置におけるサブ画素は、図４２を参照して上述した比較例４と同様に変化する。したがって、ここでは重複する説明を省略する。
【０２２７】
本実施形態の表示装置１００Ａでは、画素によって表示される色が黒から色相（Ｃ）の最明色に変化する場合、シアンサブ画素の輝度とともに色相（Ｃ）に隣接する２つの色相（すなわち、（Ｂ）および（Ｇ））に対応する青サブ画素および緑サブ画素の輝度の増加を開始する。以下に、図４５を参照して、本実施形態の表示装置１００Ａにおいて、画素によって表示される色が黒から色相（Ｃ）の最明色を経て白に変化する場合の各サブ画素の輝度の変化を説明する。図４５は、本実施形態の表示装置１００Ａにおける各サブ画素の輝度の変化と画素によって表示される色の変化との関係を説明するための模式図である。図４５（ａ）は、画素によって表示される色の変化を示す図であり、図４５（ｂ）は、シアン、青、緑、赤および黄サブ画素の輝度の変化を示す図である。
【０２２８】
はじめ、すべてのサブ画素、すなわち、シアン、青、緑、赤および黄サブ画素の輝度が「０」であり、画素によって表示される色は黒である。まず、シアンサブ画素の輝度の増加を開始するとともに、青および緑サブ画素の輝度の増加を開始する。シアンサブ画素に加えて、青および緑サブ画素の輝度をシアンサブ画素よりも低い増加率で増加させている。青および緑サブ画素の輝度の増加率は、画素によって表示される色の色相（Ｃ）を変化させないように設定されており、ここでは、青サブ画素の輝度の増加率は緑サブ画素と等しい。
【０２２９】
シアン、青および緑サブ画素の輝度が増加するほど、画素によって表示される色の彩度および明度は増加する。シアンサブ画素の輝度は青および緑サブ画素よりも先に「１」に達する。シアンサブ画素の輝度は、「１」に達した後、「１」に保持され、その後、青および緑サブ画素の輝度の増加をさらに継続する。
【０２３０】
青サブ画素の輝度の増加率は緑サブ画素と等しいので、青および緑サブ画素の輝度は同時に「１」に達する。
【０２３１】
青および緑サブ画素の輝度は、「１」に達した後、「１」に保持され、次に、画素の明度をさらに増加させるために、色相（Ｃ）に対して色相（Ｂ）と同じ側にあり、色相（Ｂ）の次に近い色相（Ｒ）に対応する赤サブ画素、および、色相（Ｃ）に対して色相（Ｇ）と同じ側にあり、色相（Ｇ）の次に近い色相（Ｙｅ）に対応する黄サブ画素の輝度の増加を開始する。ここでも、赤および黄サブ画素の輝度の増加率は色相（Ｃ）を変化させないように設定されている。ここでも、黄サブ画素の輝度の増加率は赤サブ画素と等しい。赤および黄サブ画素の輝度が増加して「１」に達すると、画素によって表示される色は白になる。
【０２３２】
ここで、比較例４、５の表示装置および本実施形態の表示装置１００Ａを比較する。比較例４の表示装置では、画素によって表示される色が黒から色相（Ｃ）の最明色に変化する間、青および緑サブ画素の輝度をシアンサブ画素と等しい増加率で増加させている。上述したように、同程度の輝度レベルで比較した場合、一般に、青および緑サブ画素によって表示されるシアンの彩度はシアンサブ画素によって表示されるシアンの彩度よりも低く、比較例４の表示装置は、特に、低い明度において彩度の高い色を表現できない。
【０２３３】
また、比較例５の表示装置では、画素によって表示される色が黒から色相（Ｃ）の最明色に変化する場合、まず、シアンサブ画素の輝度のみを増加させている。この期間において、図４４に示すように、シアンサブ画素のみが点灯し、他のサブ画素は非点灯である。この場合、１画素内において非点灯のサブ画素の占める面積が大きく、非点灯のサブ画素が黒を表示しているようにみえてしまい、シアンだけでなく黒が表示されていると誤認される。特に、１つの画素に属するサブ画素が１行に配列されている構成において、１列の画素のそれぞれのシアンサブ画素のみが点灯していると、細いシアン線とともに太い黒線が表示されているように見える。
【０２３４】
これに対して、本実施形態の表示装置１００Ａでは、画素によって表示される色が黒から色相（Ｃ）の最明色に変化する場合、シアンサブ画素だけでなく青および緑サブ画素の輝度の増加を開始する。このため、図４６に示したように、シアンサブ画素だけでなく青および緑サブ画素も点灯している。このため、１画素内において非点灯のサブ画素の占める面積が低く、誤認が抑制される。
【０２３５】
なお、色相（Ｃ）の最明色を表示する場合、比較例４、５および本実施形態の表示装置１００Ａのいずれにおいても、各サブ画素の階調レベルは（Ｒ、Ｇ、Ｂ、Ｙｅ、Ｃ）＝（０、２５５、２５５、０、２５５）である。また、比較例５の表示装置は少なくとも一部の明度において表示装置１００Ａよりも有効に色再現範囲を利用している。表示装置１００Ａの最明色よりも低い明度において、比較例５の表示可能な彩度の上限は表示装置１００Ａよりも高い。
【０２３６】
なお、上述した説明では、青サブ画素の輝度の増加率は緑サブ画素と等しいが、本発明はこれに限定されない。青および緑サブ画素の輝度の増加率は画素によって表示される色の色相（Ｃ）を変化させないように設定されていればよい。例えば、青サブ画素の輝度と緑サブ画素の輝度とを等しい増加率で増加させたとすると、画素によって表示される色の色相が色相（Ｃ）から色相（Ｇ）の方に変化してしまう場合、青サブ画素の輝度の増加率は緑サブ画素よりも高くてもよい。以下、図４７を参照して、本実施形態の表示装置１００Ａにおいて、画素によって表示される色が黒から色相（Ｃ）の最明色を経て白に変化する場合の各サブ画素の輝度の変化を説明する。
【０２３７】
はじめ、すべてのサブ画素、すなわち、シアン、青、緑、赤および黄サブ画素の輝度が「０」であり、画素によって表示される色は黒である。表示装置１００Ａでは、シアンサブ画素の輝度とともに、シアンサブ画素よりも低い増加率で青および緑サブ画素の輝度を増加させる。
【０２３８】
青および緑サブ画素の輝度の増加率は、画素によって表示される色の色相（Ｃ）を変化させないように設定されており、ここでは、青サブ画素の輝度の増加率は緑サブ画素よりも高い。ただし、上述したように、この制御を具現化する回路における数値の量子化等の結果、シアンサブ画素の輝度の増加を先に開始し、その後、青サブ画素および緑サブ画素の順番に輝度の増加を開始してもよい。
【０２３９】
シアン、青および緑サブ画素の輝度が増加するほど、画素によって表示される色の彩度および明度は増加する。シアンサブ画素の輝度は、「１」に達した後、「１」に保持され、その後、画素の明度をさらに増加させるために、青および緑サブ画素の輝度の増加をさらに継続する。
【０２４０】
青サブ画素の輝度の増加率は緑サブ画素よりも高いので、青サブ画素の輝度は緑サブ画素よりも先に「１」に達する。青サブ画素の輝度は、「１」に達した後、「１」に保持される。次に、赤サブ画素の輝度の増加を開始する。ここでも、赤サブ画素の輝度の増加率は緑および赤サブ画素の輝度の増加に伴い色相（Ｃ）を変化させないように設定されている。
【０２４１】
緑サブ画素の輝度は赤サブ画素よりも先に「１」に達する。緑サブ画素の輝度は、「１」に達した後、「１」に保持され、次に、黄サブ画素の輝度の増加を開始する。ここでも、黄サブ画素の輝度の増加率は赤および黄サブ画素の輝度の増加に伴い色相（Ｃ）を変化させないように設定されている。赤および黄サブ画素の輝度が増加して同時に「１」に達すると、画素によって表示される色は白になる。
【０２４２】
なお、原色数が５の場合、シアン、青および緑サブ画素の輝度が「１」に達した後、赤サブ画素の輝度は黄サブ画素と同時に「１」に達する。このため、青サブ画素の輝度の増加率が緑サブ画素よりも高い場合、青サブ画素に続いて輝度の増加の開始する赤サブ画素の輝度の増加率は、緑サブ画素に続いて輝度の増加の開始する黄サブ画素よりも低い。
【０２４３】
なお、図４７を参照した説明では、青サブ画素の輝度の増加率は緑サブ画素よりも高いが、本発明はこれに限定されない。緑サブ画素の輝度の増加率は青サブ画素よりも高くてもよい。この場合、図４８に示すように、シアンサブ画素の輝度が「１」に達した後、緑および青サブ画素の輝度の増加を継続すると、緑サブ画素の輝度は青サブ画素よりも先に「１」に達する。緑サブ画素の輝度は、「１」に達した後、「１」に保持され、次に、黄サブ画素の輝度の増加を開始する。ここでも、黄サブ画素の輝度の増加率は青および黄サブ画素の輝度の増加に伴い色相（Ｃ）を変化させないように設定されている。
【０２４４】
青サブ画素の輝度は黄サブ画素よりも先に「１」に達する。青サブ画素の輝度は、「１」に達した後、「１」に保持され、次に、赤サブ画素の輝度の増加を開始する。ここでも、赤サブ画素の輝度の増加率は黄および赤サブ画素の輝度の増加に伴い色相（Ｃ）を変化させないように設定されている。黄および赤サブ画素の輝度が増加して同時に「１」に達すると、画素によって表示される色は白になる。
【０２４５】
なお、本実施形態の表示装置１００Ａにおいて画素はマゼンタサブ画素の代わりに第２赤サブ画素を有しており、画素によって表示される色が黒から色相（Ｍ）の最明色への変化を開始する場合、２つの赤サブ画素および青サブ画素が点灯する。また、画素によって表示される色が黒から色相（Ｙｅ）の最明色への変化を開始する場合、黄サブ画素だけでなく色相（Ｙｅ）の両隣の色相（Ｒ）および（Ｇ）に対応する赤および緑サブ画素を点灯させる。このため、非点灯のサブ画素が少なく、誤認が抑制される。
【０２４６】
なお、上述したように、２つの赤サブ画素の輝度は異なってもよい。例えば、一方の赤サブ画素の輝度レベルが「１」に達した後に、他方の赤サブ画素の輝度の増加を開始してもよく、画素によって表示される色が黒から色相（Ｒ）の最明色への変化を開始する場合、他のサブ画素とともに２つの赤サブ画素のうちの１つの赤サブ画素を点灯させてもよい。
【０２４７】
また、各赤サブ画素Ｒａ、Ｒｂの輝度の値を独立に制御して、表示面を正面方向から観察したときのγ特性と斜め方向から観察したときのγ特性とが異なるというγ特性の視角依存性を低減することができる。γ特性の視角依存性を低減する手法としては、特開２００４−６２１４６号公報や特開２００４−７８１５７号公報にマルチ画素駆動と呼ばれる手法が提案されている。この手法では、１つのサブ画素を２つの領域に分割し、それぞれの領域に異なる電圧を印加することによってγ特性の視角依存性を低減している。第１赤サブ画素Ｒａと第２赤サブ画素Ｒｂとが互いに独立に制御する構成を用いると、当然ながら、第１赤サブ画素Ｒａの液晶層と第２赤サブ画素Ｒｂの液晶層とに互いに異なる電圧を印加することができる。そのため、上記特開２００４−６２１４６号公報や特開２００４−７８１５７号公報に開示されているマルチ画素駆動と同様に、γ特性の視角依存性を低減するという効果が得られる。
【０２４８】
なお、図３１に、サブ画素の配列パターンの一例を示したが、いうまでもなく、他の配列パターンも存在している。なお、上述した説明では、表示装置１００Ａにおいて画素によって表示される色が黒から最明色にまでの変化を開始する場合、３つのサブ画素が点灯すれば、誤認が抑制されることを説明したが、厳密にいうと、サブ画素の配列パターンに応じて表示品位は異なる。
【０２４９】
１つの画素に属する６つの画素のうち左または右側に位置する３つの連続するサブ画素が点灯する場合、非点灯の３つのサブ画素は連続している。また、例えば、１つの画素に属する６つの画素のうち中央に位置する３つの連続するサブ画素が点灯する場合でも、上述したように、サブ画素は行方向に画素ごとに周期的に設けられているため、行方向に隣接する画素を考慮すると、非点灯の３つのサブ画素が連続することになる。このように非点灯の３つのサブ画素が連続していると、黒を表示しているように見えてしまうことがある。したがって、点灯する３つのサブ画素は連続していないことが好ましい。
【０２５０】
以下、図４９および図５０を参照して、本実施形態の表示装置１００Ａにおける好適に用いられるサブ画素配列のパターンを説明する。図４９には、サブ画素配列のパターンおよびその表示品位を示しており、「○」は表示品位の高いことを示し、「×」は表示品位の低いことを示している。また、図４９および図５０では、第１赤、第２赤サブ画素をいずれも単に「Ｒ」と示している。
【０２５１】
例えば、右から左に向かって赤、赤、青、シアン、緑および黄サブ画素の順番に配列されたパターンの表示特性は、左から右に向かって赤、赤、青、シアン、緑および黄サブ画素（すなわち、右から左に向かって赤、赤、黄、緑、シアンおよび青サブ画素）に配列されたパターンの表示特性と等価である。このため、図４９および図５０では、等価な表示特性を示すパターンを省略している。また、図４９および図５０に示した配列パターンの１２個のサブ画素は、２つの画素に属するものでなくてもよく、３つの画素に属するサブ画素の配列パターンであってもよい。
【０２５２】
以下、表示品位の低いサブ画素配列のパターンおよびその理由を説明する。図３８を参照して上述したように、画素によって表示される色が黒から色相（Ｃ）の最明色への変化を開始する場合、シアンサブ画素とともに青および緑サブ画素が点灯する。この場合、シアンサブ画素とともに青および緑サブ画素が連続して配置されていると、非点灯の３つのサブ画素（すなわち、２つの赤サブ画素および黄サブ画素）が連続して配置されることになる。１画素のピッチに対してほぼ半分の長さに相当する３つのサブ画素が非点灯であると、黒スジが表示されているようにみえてしまうことがある。このため、黒スジを抑制するためには、シアン、青および緑サブ画素は連続して配列されないことが好ましい。つまり、他のサブ画素（すなわち、２つの赤サブ画素および黄サブ画素）のうちの少なくとも１つのサブ画素が、シアン、青および緑サブ画素のうちの２つのサブ画素の間に設けられることが好ましい。
【０２５３】
また、画素によって表示される色が黒から色相（Ｍ）の最明色への変化を開始する場合、２つの赤サブ画素および青サブ画素が点灯する。この場合も、２つの赤サブ画素および青サブ画素が連続して配置されていると、非点灯の３つのサブ画素（すなわち、緑、シアンおよび黄サブ画素）が連続して配置されることになる。１画素のピッチに対してほぼ半分の長さに相当する３つのサブ画素が非点灯であると、黒スジが表示されているようにみえてしまうことがある。このため、黒スジを抑制するためには、２つの赤サブ画素および青サブ画素は連続して配列されないことが好ましい。つまり、他のサブ画素（すなわち、緑、黄およびシアンサブ画素）のうちの少なくとも１つのサブ画素が、２つの赤サブ画素および青サブ画素のうちの２つのサブ画素の間に設けられることが好ましい。
【０２５４】
また、画素によって表示される色が黒から色相（Ｇ）の最明色への変化を開始する場合、緑サブ画素とともにシアンおよび黄サブ画素が点灯する。この場合も、緑、シアンおよび黄サブ画素が連続して配置されていると、非点灯の３つのサブ画素（すなわち、２つの赤サブ画素および青サブ画素）が連続して配置されることになる。１画素のピッチに対してほぼ半分の長さに相当する３つのサブ画素が非点灯であると、黒スジが表示されているようにみえてしまうことがある。このため、黒スジを抑制するためには、緑、シアンおよび黄サブ画素は連続して配列されないことが好ましい。つまり、他のサブ画素（すなわち、２つの赤サブ画素および青サブ画素）のうちの少なくとも１つのサブ画素が、緑、シアンおよび黄サブ画素のうちの２つのサブ画素の間に設けられることが好ましい。
【０２５５】
なお、表示装置１００Ａでは、画素によって表示される色が黒から色相（Ｒ）の最明色に変化する間、２つの赤サブ画素が点灯するため、色相（Ｒ）の色の表示を考慮しなくてもよい。
【０２５６】
また、表示装置１００Ａでは、画素によって表示される色が黒から色相（Ｂ）の最明色に変化する場合、青サブ画素とともに２つの赤およびシアンサブ画素が点灯し、誤認が生じにくい。また、青は赤や緑と比べて、誤認が起きにくい。色の３原色に対する人間の眼の錐体細胞数の比はＬ錐体：Ｍ錐体：Ｓ錐体＝３２：１６：１であり、Ｌ錐体、Ｍ錐体、Ｓ錐体は、それぞれ、赤、緑および青に対応するといわれており、青に反応する錐体細胞数が比較的少なく、人間の眼の青に対する解像度は低い。例えば、緑黒緑黒のストライプパターンを表示した場合、人間の眼は緑黒緑黒のストライプパターンを識別できても、青黒青黒のストライプパターンを表示した場合、人間の眼にはストライプパターンを識別できず、半分の輝度の一様な青に見えてしまう。このため、色相（Ｂ）の色の表示を考慮しなくてもよい。
【０２５７】
また、表示装置１００Ａでは、画素によって表示される色が黒から色相（Ｙｅ）の最明色への変化を開始する場合、黄サブ画素とともに２つの赤および緑サブ画素が点灯し、誤認が生じにくい。このため、色相（Ｙｅ）の色の表示を考慮しなくてもよい。
【０２５８】
図４９および図５０には、２つの赤サブ画素を基準にしてサブ画素の配列パターンを示している。好ましい配列パターンのうち、２つの赤サブ画素が連続するパターンは２つある。赤、赤、緑、黄、青およびシアンサブ画素が順番に配列されたパターン、および、赤、赤、緑、青、黄およびシアンサブ画素が順番に配列されたパターンである。
【０２５９】
また、好ましい配列パターンのうち、赤、緑、赤サブ画素が連続するパターンが３つある。赤、緑、赤、黄、シアンおよび青サブ画素が順番に配列されたパターン、赤、緑、赤、黄、青およびシアンサブ画素が順番に配列されたパターン、および、赤、緑、赤、シアン、黄および青サブ画素が順番に配列されたパターンである。
【０２６０】
また、好ましい配列パターンのうち、赤、シアン、赤サブ画素が連続するパターンが３つある。赤、シアン、赤、黄、緑および青サブ画素が順番に配列されたパターン、赤、シアン、赤、黄、青および緑サブ画素が順番に配列されたパターン、および、赤、シアン、赤、緑、黄および青サブ画素が順番に配列されたパターンである。
【０２６１】
また、好ましい配列パターンのうち、２つの赤サブ画素の間に黄および緑サブ画素が連続するパターンが２つある。赤、黄、緑、赤、シアンおよび青サブ画素が順番に配列されたパターン、および、赤、黄、緑、赤、青およびシアンサブ画素が順番に配列されたパターンである。
【０２６２】
また、好ましい配列パターンのうち、２つの赤サブ画素の間に、黄およびシアンサブ画素が連続するパターンが２つある。赤、黄、シアン、赤、緑および青サブ画素が順番に配列されたパターン、および、赤、黄、シアン、赤、青および緑サブ画素が順番に配列されたパターンである。
【０２６３】
また、好ましい配列パターンのうち、２つの赤サブ画素の間に黄および青サブ画素が連続するパターンが２つある。赤、黄、青、赤、緑およびシアンサブ画素が順番に配列されたパターン、および、赤、黄、青、赤、シアンおよび緑サブ画素が順番に配列されたパターンである。以上のように、好ましいパターンは１４パターンあり、このようなパターンであれば、誤認をさらに抑制することができる。
【０２６４】
なお、上述の説明では、黒スジ抑制に着目しており、点灯する３つのサブ画素が非連続に配置されることが好ましく、例えば、シアン、青および緑サブ画素は非連続に配置されることが好ましい旨を説明したが、画素配列のパターンにおいて着目すべき点は黒スジ抑制だけではない。例えば、縦方向に延びるシアンラインを表示する場合、シアンラインの均一性に着目するのであれば、シアン、青および緑サブ画素は連続して配置されていることが好ましい。
【０２６５】
（実施形態３）
なお、上述した説明では、図１および図３０に示した多原色表示パネル１１０、１１０Ａのあるサブ画素の色相（例えば、色相（Ｇ））を変化させないようにサブ画素の輝度の変化を行ったが、本発明はこれに限定されない。あるサブ画素の色相（例えば、色相（Ｇ））とは別の色相を変化させないようにサブ画素の輝度の変化を行ってもよい。
【０２６６】
また、上述した説明では、例えば、緑サブ画素の輝度が「１」に達した後の黄およびシアンサブ画素の輝度の増加率は、緑サブ画素の輝度が「１」に達する前の黄およびシアンサブ画素の輝度の増加率と等しかったが、本発明はこれに限定されない。例えば、緑サブ画素の輝度が「１」に達した後の黄およびシアンサブ画素の輝度の増加率は、緑サブ画素の輝度が「１」に達する前の黄およびシアンサブ画素の輝度の増加率と異なってもよい。この場合、緑サブ画素の輝度が「１」に達する前の黄およびシアンサブ画素は、画素によって表示される色の色相と緑サブ画素によって表示される色相との差分を補償するような色を表示するが、緑サブ画素の輝度が「１」に達した後の黄およびシアンサブ画素は、画素によって表示される色の色相そのものを表示する。
【０２６７】
以下、本発明による多原色表示装置の第３実施形態を説明する。本実施形態の多原色表示装置は、各サブ画素の色が若干異なる点を除いて図１および図２を参照して上述した実施形態１の表示装置と同様の構成を有している。冗長を避ける目的で、重複する説明を省略する。
【０２６８】
図５１は、本実施形態の表示装置における６つのサブ画素の各色についてのａ*およびｂ*をプロットしたＬ*ａ*ｂ*表色系のａ*ｂ*平面を示す模式図である。また、表１には、６つのサブ画素および白の各色についてのＸＹＺの値、および、ｘ、ｙの値を示している。なお、６つのサブ画素および白の各色の値は、各サブ画素の階調レベルを最大階調レベルにしたときの色の値に対応している。また、ＸＹＺの値は白のＹ値が１．０となるように規格化されている。
【０２６９】
【表１】
2010013421.tif 000003
【０２７０】
本実施形態の表示装置の色再現範囲は入力信号の準拠する規格の色再現範囲よりも広いことがある。図５２は、本実施形態の表示装置に対応する色度点、および、ＥＢＵ規格の色度点を示すＣＩＥ色度図である。図５２から理解されるように、入力信号がＥＢＵ規格に準拠する場合、表示装置の色再現範囲は入力信号の色再現範囲よりも広い。このため、入力信号がＥＢＵ規格に準拠している場合、多原色変換を単純に行うと、入力信号によって特定される色とは別の色が表示されることがある。例えば、入力信号が、階調レベル（ｒ、ｇ、ｂ）＝（０、２５５、０）の緑の最明色を示す場合、図１に示した多原色信号生成部１２０が入力信号の階調レベルに対して一般的な多原色変換を行うと、多原色表示パネル１１０の階調レベルは（Ｒ、Ｇ、Ｂ、Ｙｅ、Ｃ、Ｍ）＝（０、２５５、０、０、０、０）となり、多原色表示パネル１１０は、入力信号で特定された色とは異なる色を表示することになる。
【０２７１】
この場合、多原色表示パネルが、ＥＢＵ規格に準拠した入力信号によって特定される色を表示するためには、入力信号に示される階調レベルに対して単純に多原色変換を行った階調レベルとは異なる階調レベルに調整することが必要である。本実施形態の表示装置では、多原色信号生成部１２０（図１参照）は、多原色表示パネル１１０によって表示される色が入力信号によって特定される色と一致するように、多原色信号を生成し、多原色表示パネル１１０は入力信号で特定された色と同様の色を表示する。例えば、入力信号に示された階調レベルが（ｒ、ｇ、ｂ）＝（０、２５５、０）である場合、多原色変換を行う際に、緑サブ画素の階調レベルＧを２５５にするのに加えて他のサブ画素の階調レベルをゼロ以外の値に調整することにより、色相、彩度および輝度を含む色の調整が行われる。
【０２７２】
以下に、図５３を参照して、画素によって表示される色が黒から緑の特定の色相の最明色を介して白に変化する場合の各サブ画素の輝度の変化を説明する。図５３において横軸は白表示の輝度に対する画素の輝度の比率を示しており、縦軸は各サブ画素の輝度の変化を示している。
【０２７３】
ここで、画素によって表示される色（緑）の特定の色相は緑サブ画素の色相に近いが、厳密には、画素によって表示される色（緑）の色相角は緑サブ画素の色相角とは異なる。このため、画素によって表示される色（緑）の色相は緑サブ画素の色相とは異なるものとして説明する。以下の説明において、画素によって表示される色（緑）の特定の色相を色相（Ｇ”）または単に（Ｇ”）と表し、緑サブ画素の色相（Ｇ）と区別して表記する。例えば、色相（Ｇ）の色相角は１３９°であり、色相（Ｇ”）の色相角は１２７°である。色相（Ｇ”）は、Ｌ*ａ*ｂ*表色系のａ*ｂ*平面において他のサブ画素の色相よりも緑サブ画素の色相（Ｇ）に近いものである。
【０２７４】
はじめ、すべてのサブ画素、すなわち、緑、黄、シアン、赤、青およびマゼンタサブ画素の輝度が「０」であり、画素によって表示される色は黒である。本実施形態の表示装置では、緑サブ画素だけでなく、黄およびシアンサブ画素の輝度の増加も開始する。上述したように、緑サブ画素はＬ*ａ*ｂ*表色系のａ*ｂ*平面において色相（Ｇ”）に最も近い（Ｇ）に対応しており、また、黄サブ画素は、Ｌ*ａ*ｂ*表色系のａ*ｂ*平面においてこの色相（Ｇ）に対して時計回りで色相（Ｇ）に最も近い（Ｙｅ）に対応しており、シアンサブ画素は、Ｌ*ａ*ｂ*表色系のａ*ｂ*平面において色相（Ｇ）に対して時計回りで色相（Ｇ）に最も近い（Ｃ）に対応している。
【０２７５】
また、本実施形態の表示装置では、黄およびシアンサブ画素の輝度の増加率は緑サブ画素よりも低い。緑、黄およびシアンサブ画素の輝度の増加率は、画素によって表示される色の色相（Ｇ”）を変化させないように設定されている。緑サブ画素の輝度の増加率に対する黄サブ画素の輝度の増加率は３１％であり、緑サブ画素の輝度の増加率に対するシアンサブ画素の輝度の増加率は２％である。
【０２７６】
緑、黄およびシアンサブ画素の輝度が増加するほど、画素によって表示される色の彩度および明度は増加する。緑サブ画素の輝度が「１」に達すると、「１」に保持される。この場合、画素によって表示される色は色相（Ｇ”）の最明色となる。緑、黄、シアン、赤、青およびマゼンタサブ画素の輝度は、それぞれ、「１」、「０．３１」、「０．０２」、「０」、「０」、「０」である。
【０２７７】
次に、画素の明度をさらに増加させるために、黄およびシアンサブ画素の輝度の増加を継続する。ここでは、シアンサブ画素の輝度の増加率は黄サブ画素の輝度の増加率よりも高く、黄サブ画素の輝度がシアンサブ画素とほぼ同時に「１」に達する。例えば、黄サブ画素の輝度の増加率に対するシアンサブ画素の輝度の増加率は約１４２％（＝９８／６９）である。黄およびシアンサブ画素の輝度は、「１」に達した後、「１」に保持される。
【０２７８】
次に、Ｌ*ａ*ｂ*表色系のａ*ｂ*平面において色相（Ｇ）に対して色相（Ｙｅ）と同じ時計回りの方向にある色相で色相（Ｙｅ）の次に近い（Ｒ）に対応する赤サブ画素、および、色相（Ｇ）に対して色相（Ｃ）と同じ反時計回りの方向にある色相で色相（Ｃ）の次に近い（Ｂ）に対応する青サブ画素の輝度の増加を開始する。赤および青サブ画素の輝度の増加率は色相（Ｇ”）を変化させないように設定されている。例えば、赤サブ画素の輝度の増加率は青サブ画素の増加率の約２倍である。
【０２７９】
赤サブ画素の輝度は青サブ画素よりも先に「１」に達する。次に、色相（Ｍ）に対応するマゼンタサブ画素の輝度の増加を開始する。青およびマゼンタサブ画素の輝度が増加して「１」に達すると、画素によって表示される色は白になる。このとき、緑、黄、シアン、赤、青およびマゼンタサブ画素の輝度は、それぞれ、（「１」、「１」、「１」、「１」、「１」、「１」）である。
【０２８０】
なお、上述した説明では、黄サブ画素の輝度はシアンサブ画素とほぼ同時に「１」に達したが、本発明はこれに限定されない。黄サブ画素の輝度はシアンサブ画素とは異なるタイミングで「１」に達してもよい。以下に、図５４を参照して、各サブ画素の輝度の変化を説明する。ここで、色相（Ｇ”）の色相角は１３４°である。
【０２８１】
はじめ、すべてのサブ画素、すなわち、緑、黄、シアン、赤、青およびマゼンタサブ画素の輝度が「０」であり、画素によって表示される色は黒である。まず、緑、黄およびシアンサブ画素の輝度の増加を開始する。黄およびシアンサブ画素の輝度の増加率は緑サブ画素よりも低い。緑、黄およびシアンサブ画素の輝度の増加率は、画素によって表示される色の色相（Ｇ”）を変化させないように設定されている。ここでは、黄サブ画素の輝度の増加率はシアンサブ画素の輝度の増加率とほぼ等しい。
【０２８２】
緑、黄およびシアンサブ画素の輝度が増加するほど、画素によって表示される色の彩度および明度は増加する。緑サブ画素の輝度が「１」に達すると、「１」に保持される。この場合、画素によって表示される色は、色相（Ｇ”）の最明色となる。緑、黄、シアン、赤、青およびマゼンタサブ画素の輝度は、それぞれ、「１」、「０．２９」、「０．３０」、「０」、「０」、「０」である。
【０２８３】
次に、画素の明度をさらに増加させるために、黄およびシアンサブ画素の輝度の増加を継続する。ここでは、シアンサブ画素の輝度の増加率は黄サブ画素の輝度の増加率よりも高く、シアンサブ画素の輝度は黄サブ画素よりも先に「１」に達する。シアンサブ画素の輝度は、「１」に達した後、「１」に保持される。
【０２８４】
次に、Ｌ*ａ*ｂ*表色系のａ*ｂ*平面において色相（Ｇ）に対して色相（Ｃ）と同じ反時計回りの方向にある色相で色相（Ｃ）の次に近い（Ｂ）に対応する青サブ画素の輝度の増加を開始する。黄および青サブ画素の輝度の増加率は色相（Ｇ”）を変化させないように設定されている。黄サブ画素の輝度は青サブ画素よりも先に「１」に達する。
【０２８５】
次に、Ｌ*ａ*ｂ*表色系のａ*ｂ*平面において色相（Ｇ）に対して色相（Ｙｅ）と同じ時計回りの方向にある色相で色相（Ｙｅ）の次に近い（Ｒ）に対応する赤サブ画素の輝度の増加を開始する。青および赤サブ画素の輝度の増加率は色相（Ｇ”）を変化させないように設定されている。赤サブ画素の輝度の増加率は青サブ画素の輝度の増加率よりも高く、赤サブ画素の輝度は青サブ画素よりも先に「１」に達する。
【０２８６】
次に、色相（Ｍ）に対応するマゼンタサブ画素の輝度の増加を開始する。青およびマゼンタサブ画素の輝度が増加して「１」に達すると、画素によって表示される色は白になる。このとき、緑、黄、シアン、赤、青およびマゼンタサブ画素の輝度は、それぞれ、（「１」、「１」、「１」、「１」、「１」、「１」）である。
【０２８７】
なお、図５３および図５４を参照して、画素によって表示される色が黒から色相（Ｇ”）の最明色を経て白に変化する場合の各サブ画素の輝度の変化の一例を示したが、本発明はこれに限定されない。各サブ画素の輝度は別の態様で変化してもよい。
【０２８８】
また、上述した説明では、画素によって表示される色が黒から色相（Ｇ”）の最明色を経て白に変化する場合の各サブ画素の輝度の変化を説明したが、画素によって表示される色が黒から色相（Ｒ”）または色相（Ｂ”）の最明色を経て白に変化する場合の各サブ画素の輝度の変化も同様である。ここで、色相（Ｒ”）は、複数のサブ画素に対応する色相のうち色相（Ｒ）に最も近い色相であり、色相（Ｂ”）は、複数のサブ画素に対応する色相のうち色相（Ｂ）に最も近い色相である。例えば、画素によって表示される色が黒から色相（Ｒ”）の最明色に変化する間、色相（Ｒ”）に近い色相（Ｒ）を有する赤サブ画素だけでなく色相（Ｒ）の両隣の色相（Ｙｅ）および（Ｍ）に対応する黄およびマゼンタサブ画素を点灯させる。また、画素によって表示される色が黒から色相（Ｂ”）の最明色に変化する間、色相（Ｂ”）に近い色相（Ｂ）を有する青サブ画素だけでなく色相（Ｂ）の両隣の色相（Ｍ）および（Ｃ）に対応するマゼンタおよびシアンサブ画素を点灯させる。
【０２８９】
以上のように、画素によって表示される色が黒から色相（Ｒ”）、（Ｇ”）または（Ｂ”）の最明色に変化する場合、本実施形態の表示装置では３つのサブ画素が点灯するため、誤認が抑制される。なお、画素によって表示される色が黒から色相（Ｙｅ”）、（Ｃ”）または（Ｍ”）の最明色を経て白に変化する場合の各サブ画素の輝度の変化は若干異なる。ここで、色相（Ｙｅ”）、（Ｃ”）または（Ｍ”）は、それぞれ、サブ画素に対応する色相のうち色相（Ｙｅ）、（Ｃ）または（Ｍ）に最も近い色相である。
【０２９０】
以下に、画素によって表示される色は黒からシアンの特定の色相の最明色を介して白に変化する場合の各サブ画素の輝度の変化を説明する。なお、画素によって表示される色（シアン）の色相はシアンサブ画素の色相と近いが、厳密には、画素によって表示される色（シアン）の色相角はシアンサブ画素の色相角とは異なる。ここでは、画素によって表示される色（シアン）の色相はシアンサブ画素の色相とは異なるものとして説明する。以下の説明において、画素によって表示される色（シアン）の特定の色相を色相（Ｃ”）または単に（Ｃ”）と表し、シアンサブ画素の色相（Ｃ）と区別して表記する。例えば、色相（Ｃ）の色相角は２１９°であり、色相（Ｃ”）の色相角は２１１°である。
【０２９１】
本実施形態の表示装置では、画素によって表示される色が黒から色相（Ｃ”）の最明色に変化する場合、色相（Ｃ”）に最も近い色相（Ｃ）に対応するシアンサブ画素の輝度の増加を開始するとともに、シアンサブ画素よりも低い増加率で色相（Ｃ）に隣接する２つの色相（すなわち、色相（Ｂ）および（Ｇ））に対応する青サブ画素および緑サブ画素の輝度の増加を開始する。
【０２９２】
以下に、図５５を参照して、本実施形態の表示装置において、画素によって表示される色が黒から色相（Ｃ”）の最明色を経て白に変化する場合の各サブ画素の輝度の変化を説明する。
【０２９３】
はじめ、すべてのサブ画素、すなわち、シアン、青、緑、マゼンタ、黄および赤サブ画素の輝度が「０」であり、画素によって表示される色は黒である。まず、色相（Ｃ”）に最も近い色相（Ｃ）を有するシアンサブ画素の輝度とともに、青および緑サブ画素の輝度をシアンサブ画素よりも低い増加率で増加させる。青および緑サブ画素の輝度の増加率は、画素によって表示される色の色相（Ｃ”）を変化させないように設定されている。ここでは、青サブ画素の輝度の増加率は緑サブ画素よりも高い。
【０２９４】
シアン、青および緑サブ画素の輝度が増加するほど、画素によって表示される色の彩度および明度は増加する。シアンサブ画素の輝度は青および緑サブ画素よりも先に「１」に達する。
【０２９５】
シアンサブ画素の輝度は、「１」に達した後、「１」に保持され、その後、青および緑サブ画素の輝度の増加がさらに継続する。シアンサブ画素の輝度が「１」に達した後、緑サブ画素の輝度の増加率は青サブ画素の輝度の増加率よりも高く、青および緑サブ画素の輝度は互いにほぼ同時に「１」に達する。
【０２９６】
青および緑サブ画素の輝度は、「１」に達した後、「１」に保持され、次に、画素の明度をさらに増加させるために、色相（Ｃ）に対して色相（Ｂ）と同じ側にあり、色相（Ｂ）の次に近い色相（Ｍ）に対応するマゼンタサブ画素、および、色相（Ｃ）に対して色相（Ｇ）と同じ側にあり、色相（Ｇ）の次に近い色相（Ｙｅ）に対応する黄サブ画素の輝度の増加を開始する。マゼンタおよび黄サブ画素の輝度の増加率は色相（Ｃ”）を変化させないように設定されており、はじめは、マゼンタサブ画素の輝度の増加率は黄サブ画素と等しい。ただし、マゼンタおよび黄サブ画素の輝度がある程度増加すると、黄サブ画素の輝度の増加率はマゼンタサブ画素の輝度の増加率よりも低くなる。このため、マゼンタサブ画素の輝度は黄サブ画素よりも先に「１」に達する。
【０２９７】
マゼンタサブ画素の輝度が「１」に達すると、「１」に保持され、次に、赤サブ画素の輝度の増加を開始する。黄および赤サブ画素の輝度が増加して「１」に達すると、画素によって表示される色は白になる。
【０２９８】
なお、上述した説明では、青および緑サブ画素の輝度はほぼ同時に「１」に達したが、本発明はこれに限定されない。青および緑サブ画素の輝度は異なるタイミングで「１」に達してもよい。
【０２９９】
以下に、図５６を参照して、各サブ画素の輝度の変化を説明する。なお、ここでは、画素によって表示される色の色相角は２１５°である。
【０３００】
はじめ、すべてのサブ画素、すなわち、シアン、青、緑、マゼンタ、黄および赤サブ画素の輝度が「０」であり、画素によって表示される色は黒である。まず、色相（Ｃ”）に最も近い色相（Ｃ）を有するシアンサブ画素の輝度とともに、青および緑サブ画素の輝度をシアンサブ画素よりも低い増加率で増加させる。青および緑サブ画素の輝度の増加率は、画素によって表示される色の色相（Ｃ”）を変化させないように設定されている。ここでは、青サブ画素の輝度の増加率は緑サブ画素よりも高い。
【０３０１】
シアン、青および緑サブ画素の輝度が増加するほど、画素によって表示される色の彩度および明度は増加する。シアンサブ画素の輝度は青および緑サブ画素よりも先に「１」に達する。
【０３０２】
シアンサブ画素の輝度は、「１」に達した後、「１」に保持され、その後、青および緑サブ画素の輝度の増加がさらに継続する。シアンサブ画素の輝度が「１」に達した後、緑サブ画素の輝度の増加率は青サブ画素の輝度の増加率よりも高いが、青サブ画素は緑サブ画素よりも先に「１」に達する。
【０３０３】
青サブ画素の輝度は「１」に達した後、「１」に保持され、次に、画素の明度をさらに増加させるために、色相（Ｃ）に対して色相（Ｂ）と同じ側にあり、色相（Ｂ）の次に近い色相（Ｍ）に対応するマゼンタサブ画素の輝度の増加を開始する。緑およびマゼンタサブ画素の輝度の増加率は色相（Ｃ”）を変化させないように設定されている。緑サブ画素はマゼンタサブ画素よりも先に「１」に達する。
【０３０４】
緑サブ画素の輝度は「１」に達した後、「１」に保持され、次に、画素の明度をさらに増加させるために、色相（Ｃ）に対して色相（Ｇ）と同じ側にあり、色相（Ｇ）の次に近い色相（Ｙｅ）に対応する黄サブ画素の輝度の増加を開始する。マゼンタおよび黄サブ画素の輝度の増加率は色相（Ｃ”）を変化させないように設定されている。マゼンタサブ画素の輝度は黄サブ画素よりも先に「１」に達する。
【０３０５】
マゼンタサブ画素の輝度が「１」に達すると、「１」に保持され、次に、赤サブ画素の輝度の増加を開始する。黄および赤サブ画素の輝度が増加して「１」に達すると、画素によって表示される色は白になる。
【０３０６】
なお、上述した説明では、青サブ画素の輝度は緑サブ画素の輝度よりも先に「１」に達したが、本発明はこれに限定されない。緑サブ画素の輝度が青サブ画素の輝度よりも先に「１」に達してもよい。
【０３０７】
以下に、図５７を参照して、各サブ画素の輝度の変化を説明する。なお、ここでは、画素によって表示される色の色相角は２００°である。
【０３０８】
はじめ、すべてのサブ画素、すなわち、シアン、青、緑、マゼンタ、黄および赤サブ画素の輝度が「０」であり、画素によって表示される色は黒である。まず、色相（Ｃ”）に最も近い色相（Ｃ）を有するシアンサブ画素の輝度とともに、青および緑サブ画素の輝度をシアンサブ画素よりも低い増加率で増加させる。青および緑サブ画素の輝度の増加率は、画素によって表示される色の色相（Ｃ”）を変化させないように設定されている。ここでは、青サブ画素の輝度の増加率は緑サブ画素よりも高い。
【０３０９】
シアン、青および緑サブ画素の輝度が増加するほど、画素によって表示される色の彩度および明度は増加する。シアンサブ画素の輝度は青および緑サブ画素よりも先に「１」に達する。
【０３１０】
シアンサブ画素の輝度は、「１」に達した後、「１」に保持され、その後、青および緑サブ画素の輝度の増加がさらに継続する。シアンサブ画素の輝度が「１」に達した後、緑サブ画素の輝度の増加率は青サブ画素の輝度の増加率よりも高く、緑サブ画素は青サブ画素よりも先に「１」に達する。
【０３１１】
緑サブ画素の輝度は「１」に達した後、「１」に保持され、次に、画素の明度をさらに増加させるために、色相（Ｃ）に対して色相（Ｇ）と同じ側にあり、色相（Ｇ）の次に近い色相（Ｙｅ）に対応する黄サブ画素の輝度の増加を開始する。青および黄サブ画素の輝度の増加率は色相（Ｃ”）を変化させないように設定されている。青サブ画素は黄サブ画素よりも先に「１」に達する。
【０３１２】
青サブ画素の輝度は「１」に達した後、「１」に保持され、次に、画素の明度をさらに増加させるために、色相（Ｃ）に対して色相（Ｂ）と同じ側にあり、色相（Ｂ）の次に近い色相（Ｍ）に対応するマゼンタサブ画素の輝度の増加を開始する。黄およびマゼンタサブ画素の輝度の増加率は色相（Ｃ”）を変化させないように設定されている。マゼンタサブ画素の輝度の増加率は黄サブ画素よりも高く、マゼンタサブ画素の輝度は黄サブ画素よりも先に「１」に達する。
【０３１３】
マゼンタサブ画素の輝度が「１」に達すると、「１」に保持され、次に、赤サブ画素の輝度の増加を開始する。黄および赤サブ画素の輝度が増加して「１」に達すると、画素によって表示される色は白になる。
【０３１４】
（実施形態４）
なお、上述した実施形態３の表示装置は６つの原色を用いて表示を行ったが、本発明はこれに限定されない。表示装置は５つの原色を用いて表示を行ってもよい。
【０３１５】
以下に、本発明による多原色表示装置の第４実施形態を説明する。本実施形態の多原色表示装置は、各サブ画素の色が若干異なる点を除いて図３０および図３１を参照して上述した実施形態２の表示装置と同様の構成を有している。冗長を避ける目的で、重複する説明を省略する。
【０３１６】
図５８は、本実施形態の表示装置における各サブ画素の色についてのａ*およびｂ*をプロットしたＬ*ａ*ｂ*表色系のａ*ｂ*平面を示す模式図である。また、表２には、６つのサブ画素の各色についてのＸＹＺの値、および、ｘ、ｙの値を示している。なお、６つのサブ画素の各色の値は、各サブ画素の階調レベルを最大階調レベルにしたときの色の値に対応している。また、ＸＹＺの値は白のＹ値が１．０となるように規格化されている。
【０３１７】
【表２】
2010013421.tif 000004
【０３１８】
以下に、図５９を参照して、画素によって表示される色が黒から緑の特定の色相の最明色を介して白に変化する場合の各サブ画素の輝度の変化を説明する。図５９において横軸は白表示の輝度に対する画素の輝度の比率を示しており、縦軸は各サブ画素の輝度の変化を示している。
【０３１９】
なお、ここで、画素によって表示される色（緑）の色相（Ｇ”）の色相角は、緑サブ画素の色相（Ｇ）の色相角とは異なる。例えば、色相（Ｇ）の色相角は１４１°であり、色相（Ｇ”）の色相角は１３１°である。
【０３２０】
はじめ、すべてのサブ画素、すなわち、緑、黄、シアン、赤および青サブ画素の輝度が「０」であり、画素によって表示される色は黒である。本実施形態の表示装置では、緑サブ画素だけでなく、黄およびシアンサブ画素の輝度の増加も開始する。なお、緑サブ画素はＬ*ａ*ｂ*表色系のａ*ｂ*平面において色相（Ｇ”）に最も近い（Ｇ）に対応している。また、黄サブ画素は、図５８に示したＬ*ａ*ｂ*表色系のａ*ｂ*平面においてこの色相（Ｇ）に対して時計回りで色相（Ｇ）に最も近い（Ｙｅ）に対応しており、シアンサブ画素は、Ｌ*ａ*ｂ*表色系のａ*ｂ*平面において色相（Ｇ）に対して時計回りで色相（Ｇ）に最も近い（Ｃ）に対応している。
【０３２１】
また、本実施形態の表示装置では、黄およびシアンサブ画素の輝度の増加率は緑サブ画素よりも低い。緑、黄およびシアンサブ画素の輝度の増加率は、画素によって表示される色の色相（Ｇ”）を変化させないように設定されている。
【０３２２】
緑、黄およびシアンサブ画素の輝度が増加するほど、画素によって表示される色の彩度および明度は増加する。緑サブ画素の輝度が「１」に達すると、「１」に保持される。この場合、画素によって表示される色は、色相（Ｇ”）の最明色となる。緑、黄、シアン、赤および青サブ画素の輝度は、それぞれ、「１」、「０．３０」、「０．０８」、「０」、「０」である。
【０３２３】
次に、画素の明度をさらに増加させるために、黄およびシアンサブ画素の輝度の増加を継続する。ここでは、シアンサブ画素の輝度の増加率は黄サブ画素の輝度の増加率よりも高く、黄サブ画素の輝度がシアンサブ画素とほぼ同時に「１」に達する。例えば、黄サブ画素の輝度の増加率に対するシアンサブ画素の輝度の増加率は約１３１％（＝９２／７０）である黄およびシアンサブ画素の輝度は、「１」に達した後、「１」に保持される。
【０３２４】
次に、Ｌ*ａ*ｂ*表色系のａ*ｂ*平面において色相（Ｇ）に対して色相（Ｙｅ）と同じ時計回りの方向にある色相で色相（Ｙｅ）の次に近い（Ｒ）に対応する赤サブ画素、および、色相（Ｇ）に対して色相（Ｃ）と同じ反時計回りの方向にある色相で色相（Ｃ）の次に近い（Ｂ）に対応する青サブ画素の輝度の増加を開始する。赤および青サブ画素の輝度の増加率は色相（Ｇ”）を変化させないように設定されている。
【０３２５】
赤および青サブ画素の輝度の増加はほぼ同時に開始される。はじめ、赤サブ画素の輝度の増加率は青サブ画素の輝度の増加率よりも高いが、途中で青サブ画素の輝度の増加率は赤サブ画素の輝度の増加率よりも高くなるように変化し、赤サブ画素の輝度は青サブ画素とほぼ同時に「１」に達する。赤および青サブ画素の輝度が「１」に達すると、画素によって表示される色は白になる。このとき、緑、黄、シアン、赤および青サブ画素の輝度は、それぞれ、（「１」、「１」、「１」、「１」、「１」）である。
【０３２６】
なお、上述した説明では、黄サブ画素の輝度はシアンサブ画素とほぼ同時に「１」に達したが、本発明はこれに限定されない。黄サブ画素の輝度はシアンサブ画素とは別のタイミングで「１」に達してもよい。以下に、図６０を参照して、各サブ画素の輝度の変化を説明する。ここで、色相（Ｇ”）の色相角は１２９°である。
【０３２７】
はじめ、すべてのサブ画素、すなわち、緑、黄、シアン、赤および青サブ画素の輝度は「０」であり、画素によって表示される色は黒である。緑、黄およびシアンサブ画素の輝度の増加を開始する。黄およびシアンサブ画素の輝度の増加率は緑サブ画素よりも低い。緑、黄およびシアンサブ画素の輝度の増加率は、画素によって表示される色の色相（Ｇ”）を変化させないように設定されている。緑、黄およびシアンサブ画素の輝度が増加するほど、画素によって表示される色の彩度および明度は増加する。緑サブ画素の輝度が「１」に達すると、「１」に保持される。この場合、画素によって表示される色は色相（Ｇ”）の最明色となる。緑、黄、シアン、赤および青サブ画素の輝度は、それぞれ、「１」、「０．３０」、「０．０２」、「０」、「０」である。
【０３２８】
次に、画素の明度をさらに増加させるために、黄およびシアンサブ画素の輝度の増加を継続する。ここでは、シアンサブ画素の輝度の増加率は黄サブ画素の輝度の増加率よりも高く、黄サブ画素の輝度がシアンサブ画素とほぼ同時に「１」に達する。黄サブ画素の輝度はシアンサブ画素よりも先に「１」に達する。黄サブ画素の輝度は、「１」に達した後、「１」に保持される。
【０３２９】
次に、Ｌ*ａ*ｂ*表色系のａ*ｂ*平面において色相（Ｇ）に対して色相（Ｙｅ）と同じ時計回りの方向にある色相で色相（Ｙｅ）の次に近い（Ｒ）に対応する赤サブ画素の輝度の増加を開始する。シアンおよび赤サブ画素の輝度の増加率は色相（Ｇ”）を変化させないように設定されている。シアンサブ画素の輝度は赤サブ画素よりも先に「１」に達する。シアンサブ画素の輝度は、「１」に達した後、「１」に保持される。赤および青サブ画素の輝度の増加率は色相（Ｇ”）を変化させないように設定されており、赤サブ画素の輝度は青サブ画素とほぼ同時に「１」に達する。
【０３３０】
なお、上述した説明では、黄サブ画素の輝度はシアンサブ画素よりも先に「１」に達したが、本発明はこれに限定されない。シアンサブ画素の輝度は黄サブ画素よりも先に「１」に達してもよい。以下に、図６１を参照して、各サブ画素の輝度の変化を説明する。ここで、色相（Ｇ”）の色相角は１４３°である。
【０３３１】
はじめ、すべてのサブ画素、すなわち、緑、黄、シアン、赤および青サブ画素の輝度が「０」であり、画素によって表示される色は黒である。緑、黄およびシアンサブ画素の輝度の増加を開始する。黄およびシアンサブ画素の輝度の増加率は緑サブ画素よりも低い。緑、黄およびシアンサブ画素の輝度の増加率は、画素によって表示される色の色相（Ｇ”）を変化させないように設定されている。ここでは、シアンサブ画素の輝度の増加率は黄サブ画素の輝度の増加率よりも高い。
【０３３２】
緑、黄およびシアンサブ画素の輝度が増加するほど、画素によって表示される色の彩度および明度は増加する。緑サブ画素の輝度が「１」に達すると、「１」に保持される。この場合、画素によって表示される色は、色相（Ｇ”）の最明色となる。緑、黄、シアン、赤および青サブ画素の輝度は、それぞれ、「１」、「０．１６」、「０．３０」、「０」、「０」である。
【０３３３】
次に、画素の明度をさらに増加させるために、黄およびシアンサブ画素の輝度の増加を継続する。緑サブ画素の輝度が「１」に達した後もシアンサブ画素の輝度の増加率は黄サブ画素の輝度の増加率よりも高い。シアンサブ画素の輝度は黄サブ画素の輝度よりも先に「１」に達する。
【０３３４】
次に、Ｌ*ａ*ｂ*表色系のａ*ｂ*平面において色相（Ｇ）に対して色相（Ｃ）と同じ反時計回りの方向にある色相で色相（Ｃ）の次に近い（Ｂ）に対応する青サブ画素の輝度の増加を開始する。黄および青サブ画素の輝度の増加率は色相（Ｇ”）を変化させないように設定されている。黄サブ画素の輝度は青サブ画素の輝度よりも先に「１」に達する。
【０３３５】
次に、Ｌ*ａ*ｂ*表色系のａ*ｂ*平面において色相（Ｇ）に対して色相（Ｙｅ）と同じ時計回りの方向にある色相で色相（Ｙｅ）の次に近い（Ｒ）に対応する赤サブ画素の輝度の増加を開始する。青および赤サブ画素の輝度の増加率は色相（Ｇ”）を変化させないように設定されている。赤および青サブ画素の輝度が増加して「１」に達すると、画素によって表示される色は白になる。このとき、緑、黄、シアン、赤および青サブ画素の輝度は、それぞれ、（「１」、「１」、「１」、「１」、「１」）である。
【０３３６】
なお、図５９〜図６１を参照して、画素によって表示される色が黒から色相（Ｇ”）の最明色を経て白に変化する場合の各サブ画素の輝度の変化の一例を示したが、本発明はこれに限定されない。各サブ画素の輝度は別の態様で変化してもよい。
【０３３７】
また、上述した説明では、画素によって表示される色が黒から色相（Ｇ”）の最明色を経て白に変化する場合の各サブ画素の輝度の変化を説明したが、画素によって表示される色が黒から色相（Ｒ”）または（Ｂ”）の最明色を経て白に変化する場合の各サブ画素の輝度の変化も同様である。例えば、画素によって表示される色が黒から色相（Ｒ”）の最明色に変化する間、色相（Ｒ”）に近い色相（Ｒ）を有する赤サブ画素だけでなく色相（Ｒ）の両隣の色相（Ｙｅ）および（Ｂ）に対応する黄および青サブ画素を点灯させる。また、画素によって表示される色が黒から色相（Ｂ”）の最明色に変化する間、色相（Ｂ”）に近い色相（Ｂ）を有する青サブ画素だけでなく色相（Ｂ）の両隣の色相（Ｒ）および（Ｃ）に対応する赤およびシアンサブ画素を点灯させる。
【０３３８】
以上のように、画素によって表示される色が黒から色相（Ｒ”）、（Ｇ”）または（Ｂ”）の最明色に変化する場合、本実施形態の表示装置では３つのサブ画素が点灯するため、誤認が抑制される。なお、画素によって表示される色が黒から色相（Ｙｅ”）、（Ｃ”）または（Ｍ”）の最明色を経て白に変化する場合の各サブ画素の輝度の変化は若干異なる。
【０３３９】
以下に、画素によって表示される色は黒からシアンの特定の色相の最明色を介して白に変化する場合の各サブ画素の輝度の変化を説明する。なお、ここで、画素によって表示される色（シアン）の色相（Ｃ”）はシアンサブ画素の色相（Ｃ）とは異なる。例えば、色相（Ｃ）の色相角は２１７°であり、色相（Ｃ”）の色相角は２３６°である。
【０３４０】
本実施形態の表示装置では、画素によって表示される色が黒から色相（Ｃ”）の最明色に変化する場合、色相（Ｃ”）に最も近い色相（Ｃ）に対応するシアンサブ画素の輝度の増加を開始するとともに、シアンサブ画素よりも低い増加率で色相（Ｃ）に隣接する２つの色相（すなわち、（Ｂ）および（Ｇ））に対応する青サブ画素および緑サブ画素の輝度の増加を開始する。
【０３４１】
以下に、図６２を参照して、本実施形態の表示装置において、画素によって表示される色が黒から色相（Ｃ”）の最明色を経て白に変化する場合の各サブ画素の輝度の変化を説明する。
【０３４２】
はじめ、すべてのサブ画素、すなわち、シアン、青、緑、黄および赤サブ画素の輝度が「０」であり、画素によって表示される色は黒である。まず、色相（Ｃ”）に最も近い色相（Ｃ）を有するシアンサブ画素の輝度とともに、青および緑サブ画素の輝度をシアンサブ画素よりも低い増加率で増加させる。青および緑サブ画素の輝度の増加率は、画素によって表示される色の色相（Ｃ”）を変化させないように設定されている。ここでは、青サブ画素の輝度の増加率は緑サブ画素よりも高い。
【０３４３】
シアン、青および緑サブ画素の輝度が増加するほど、画素によって表示される色の彩度および明度は増加する。シアンサブ画素の輝度は青および緑サブ画素よりも先に「１」に達する。
【０３４４】
シアンサブ画素の輝度は、「１」に達した後、「１」に保持され、その後、青および緑サブ画素の輝度の増加がさらに継続する。シアンサブ画素の輝度が「１」に達した後、緑サブ画素の輝度の増加率は青サブ画素の輝度の増加率よりも高く、青および緑サブ画素の輝度は互いにほぼ同時に「１」に達する。
【０３４５】
青および緑サブ画素の輝度は、「１」に達した後、「１」に保持され、次に、画素の明度をさらに増加させるために、色相（Ｃ）に対して色相（Ｂ）と同じ側にあり、色相（Ｂ）の次に近い色相（Ｒ）に対応する赤サブ画素、および、色相（Ｃ）に対して色相（Ｇ）と同じ側にあり、色相（Ｇ）の次に近い色相（Ｙｅ）に対応する黄サブ画素の輝度の増加を開始する。赤および黄サブ画素の輝度の増加率は色相（Ｃ”）を変化させないように設定されている。はじめ、黄サブ画素の輝度の増加率は赤サブ画素の輝度の増加率よりも高いが、途中で赤サブ画素の輝度の増加率は黄サブ画素の輝度の増加率よりも高くなるように変化し、赤サブ画素の輝度は黄サブ画素とほぼ同時に「１」に達する。黄および赤サブ画素の輝度が「１」に達すると、画素によって表示される色は白になる。
【０３４６】
なお、上述した説明では、青および緑サブ画素の輝度はほぼ同時に「１」に達したが、本発明はこれに限定されない。青および緑サブ画素の輝度は異なるタイミングで「１」に達してもよい。
【０３４７】
以下に、図６３を参照して、各サブ画素の輝度の変化を説明する。なお、ここでは、画素によって表示される色の色相角は２３９°である。
【０３４８】
はじめ、すべてのサブ画素、すなわち、シアン、青、緑、黄および赤サブ画素の輝度が「０」であり、画素によって表示される色は黒である。まず、色相（Ｃ”）に最も近い色相（Ｃ）を有するシアンサブ画素の輝度とともに、青および緑サブ画素の輝度をシアンサブ画素よりも低い増加率で増加させる。青および緑サブ画素の輝度の増加率は、画素によって表示される色の色相（Ｃ”）を変化させないように設定されている。ここでは、青サブ画素の輝度の増加率は緑サブ画素よりも高い。
【０３４９】
シアン、青および緑サブ画素の輝度が増加するほど、画素によって表示される色の彩度および明度は増加する。シアンサブ画素の輝度は青および緑サブ画素よりも先に「１」に達する。
【０３５０】
シアンサブ画素の輝度は、「１」に達した後、「１」に保持され、その後、青および緑サブ画素の輝度の増加がさらに継続する。シアンサブ画素の輝度が「１」に達した後、緑サブ画素の輝度の増加率は青サブ画素の輝度の増加率よりも高いが、青サブ画素は緑サブ画素よりも先に「１」に達する。
【０３５１】
青サブ画素の輝度は「１」に達した後、「１」に保持され、次に、画素の明度をさらに増加させるために、色相（Ｃ）に対して色相（Ｂ）と同じ側にあり、色相（Ｂ）の次に近い色相（Ｒ）に対応する赤サブ画素の輝度の増加を開始する。緑および赤サブ画素の輝度の増加率は色相（Ｃ”）を変化させないように設定されている。緑および赤サブ画素の輝度を増加させると、緑サブ画素は赤サブ画素よりも先に「１」に達する。
【０３５２】
緑サブ画素の輝度は「１」に達した後、「１」に保持され、次に、画素の明度をさらに増加させるために、色相（Ｃ）に対して色相（Ｇ）と同じ側にあり、色相（Ｇ）の次に近い色相（Ｙｅ）に対応する黄サブ画素の輝度の増加を開始する。赤および黄サブ画素の輝度の増加率は色相（Ｃ”）を変化させないように設定されている。はじめ、黄サブ画素の輝度の増加率は赤サブ画素の輝度の増加率よりも高いが、途中で赤サブ画素の輝度の増加率は黄サブ画素の輝度の増加率よりも高くなるように変化し、赤サブ画素の輝度は黄サブ画素とほぼ同時に「１」に達する。赤および黄サブ画素の輝度が「１」に達すると、画素によって表示される色は白になる。
【０３５３】
なお、上述した説明では、青サブ画素の輝度は緑サブ画素の輝度よりも先に「１」に達したが、本発明はこれに限定されない。緑サブ画素の輝度が青サブ画素の輝度よりも先に「１」に達してもよい。
【０３５４】
以下に、図６４を参照して、各サブ画素の輝度の変化を説明する。なお、ここでは、画素によって表示される色の色相角は２００°である。
【０３５５】
はじめ、すべてのサブ画素、すなわち、シアン、青、緑、黄および赤サブ画素の輝度が「０」であり、画素によって表示される色は黒である。まず、色相（Ｃ”）に最も近い色相（Ｃ）を有するシアンサブ画素の輝度とともに、青および緑サブ画素の輝度をシアンサブ画素よりも低い増加率で増加させる。青および緑サブ画素の輝度の増加率は、画素によって表示される色の色相（Ｃ”）を変化させないように設定されている。ここでは、緑サブ画素の輝度の増加率は青サブ画素よりも高い。
【０３５６】
シアン、青および緑サブ画素の輝度が増加するほど、画素によって表示される色の彩度および明度は増加する。シアンサブ画素の輝度は青および緑サブ画素よりも先に「１」に達する。
【０３５７】
シアンサブ画素の輝度は、「１」に達した後、「１」に保持され、その後、青および緑サブ画素の輝度の増加がさらに継続する。シアンサブ画素の輝度が「１」に達した後も、緑サブ画素の輝度の増加率は青サブ画素の輝度の増加率よりも高く、緑サブ画素は青サブ画素よりも先に「１」に達する。
【０３５８】
緑サブ画素の輝度は、「１」に達した後、「１」に保持され、次に、画素の明度をさらに増加させるために、色相（Ｃ）に対して色相（Ｇ）と同じ側にあり、色相（Ｇ）の次に近い色相（Ｙｅ）に対応する黄サブ画素の輝度の増加を開始する。青および黄サブ画素の輝度の増加率は色相（Ｃ”）を変化させないように設定されている。青サブ画素は黄サブ画素よりも先に「１」に達する。
【０３５９】
青サブ画素の輝度は「１」に達した後、「１」に保持され、次に、画素の明度をさらに増加させるために、色相（Ｃ）に対して色相（Ｂ）と同じ側にあり、色相（Ｂ）の次に近い色相（Ｒ）に対応する赤サブ画素の輝度の増加を開始する。黄および赤サブ画素の輝度の増加率は色相（Ｃ”）を変化させないように設定されている。黄および赤サブ画素の輝度が「１」に達すると、画素によって表示される色は白になる。
【０３６０】
なお、上述した説明では、画素は６つのサブ画素を有していたが、本発明はこれに限定されない。各画素に属するサブ画素の数は４つでもよく、５つでもよい。例えば、各画素に属するサブ画素の数が４つである場合、各画素は、赤、緑、青および黄サブ画素を有してもよい。あるいは、各画素に属するサブ画素の数が５つである場合、各画素は、赤、緑、青、黄およびシアンサブ画素を有してもよい。
【０３６１】
また、上述した実施形態１から４の表示装置は液晶表示装置であったが、本発明はこれに限定されない。表示装置は、ブラウン管（Ｃａｔｈｏｄｅ  Ｒａｙ  Ｔｕｂｅ：ＣＲＴ）、プラズマ表示装置、有機ＥＬ（Ｅｌｅｃｔｒｏｌｕｍｉｎｅｓｃｅｎｃｅ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）、液晶プロジェクタなどの多原色表示が可能な任意の表示装置であってもよい。
【０３６２】
また、上述した実施形態１から４の表示装置における多原色信号生成部１２０が備えている構成要素は、ハードウェアによって実現できるほか、これらの一部または全部をソフトウェアによって実現することもできる。これらの構成要素をソフトウェアによって実現する場合、コンピュータを用いて構成してもよく、このコンピュータは、各種プログラムを実行するためのＣＰＵ（ｃｅｎｔｒａｌ  ｐｒｏｃｅｓｓｉｎｇ  ｕｎｉｔ）や、それらのプログラムを実行するためのワークエリアとして機能するＲＡＭ（ｒａｎｄｏｍ  ａｃｃｅｓｓ  ｍｅｍｏｒｙ）などを備えるものである。そして各構成要素の機能を実現するためのプログラムをコンピュータにおいて実行し、このコンピュータを各構成要素として動作させる。
【０３６３】
また、プログラムは、記録媒体からコンピュータに供給されてもよく、あるいは、通信ネットワークを介してコンピュータに供給されてもよい。記録媒体は、コンピュータと分離可能に構成されてもよく、コンピュータに組み込むようになっていてもよい。この記録媒体は、記録したプログラムコードをコンピュータが直接読み取ることができるようにコンピュータに装着されるものであっても、外部記憶装置としてコンピュータに接続されたプログラム読取装置を介して読み取ることができるように装着されるものであってもよい。記録媒体としては、例えば、磁気テープやカセットテープなどのテープ：フレキシブルディスク／ハードディスク等の磁気ディスク、ＭＯ、ＭＤ等の光磁気ディスク、ＣＤ−ＲＯＭ、ＤＶＤ、ＣＤ―Ｒ等の光ディスクを含むディスク：ＩＣカード（メモリカードを含む）、光カード等のカード：あるいは、マスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等の半導体メモリなどを用いることができる。また、通信ネットワークを介してプログラムを供給する場合、プログラムは、そのプログラムコードが電子的な伝送で具現化された搬送波あるいはデータ信号の形態をとってもよい。
【０３６４】
なお、参考のために、本願の基礎出願である特願２００８−１９３８８９号の開示内容を本明細書に援用する。
【産業上の利用可能性】
【０３６５】
本発明による多原色表示装置は、色再現範囲を有効に利用しつつ表示品位の低下を抑制することができる。
【符号の説明】
【０３６６】
１００、１００Ａ  多原色表示装置
１１０、１１０Ａ  多原色表示パネル
１２０  多原色信号生成部
【図１】
2010013421.tif 000005
【図２】
2010013421.tif 000006
【図３】
2010013421.tif 000007
【図４】
2010013421.tif 000008
【図５】
2010013421.tif 000009
【図６】
2010013421.tif 000010
【図７】
2010013421.tif 000011
【図８】
2010013421.tif 000012
【図９】
2010013421.tif 000013
【図１０】
2010013421.tif 000014
【図１１】
2010013421.tif 000015
【図１２】
2010013421.tif 000016
【図１３】
2010013421.tif 000017
【図１４】
2010013421.tif 000018
【図１５】
2010013421.tif 000019
【図１６】
2010013421.tif 000020
【図１７】
2010013421.tif 000021
【図１８】
2010013421.tif 000022
【図１９】
2010013421.tif 000023
【図２０】
2010013421.tif 000024
【図２１】
2010013421.tif 000025
【図２２】
2010013421.tif 000026
【図２３】
2010013421.tif 000027
【図２４】
2010013421.tif 000028
【図２５】
2010013421.tif 000029
【図２６】
2010013421.tif 000030
【図２７】
2010013421.tif 000031
【図２８】
2010013421.tif 000032
【図２９】
2010013421.tif 000033
【図３０】
2010013421.tif 000034
【図３１】
2010013421.tif 000035
【図３２】
2010013421.tif 000036
【図３３】
2010013421.tif 000037
【図３４】
2010013421.tif 000038
【図３５】
2010013421.tif 000039
【図３６】
2010013421.tif 000040
【図３７】
2010013421.tif 000041
【図３８】
2010013421.tif 000042
【図３９】
2010013421.tif 000043
【図４０】
2010013421.tif 000044
【図４１】
2010013421.tif 000045
【図４２】
2010013421.tif 000046
【図４３】
2010013421.tif 000047
【図４４】
2010013421.tif 000048
【図４５】
2010013421.tif 000049
【図４６】
2010013421.tif 000050
【図４７】
2010013421.tif 000051
【図４８】
2010013421.tif 000052
【図４９】
2010013421.tif 000053
【図５０】
2010013421.tif 000054
【図５１】
2010013421.tif 000055
【図５２】
2010013421.tif 000056
【図５３】
2010013421.tif 000057
【図５４】
2010013421.tif 000058
【図５５】
2010013421.tif 000059
【図５６】
2010013421.tif 000060
【図５７】
2010013421.tif 000061
【図５８】
2010013421.tif 000062
【図５９】
2010013421.tif 000063
【図６０】
2010013421.tif 000064
【図６１】
2010013421.tif 000065
【図６２】
2010013421.tif 000066
【図６３】
2010013421.tif 000067
【図６４】
2010013421.tif 000068
【図６５】
2010013421.tif 000069
【図６６】
2010013421.tif 000070
【国際調査報告】
2010013421.tif 000071
2010013421.tif 000072
2010013421.tif 000073
2010013421.tif 000074